(57)【要約】会社の役員会データの処理システムおよび方法により、会社の役員会のメンバーに関連する情報を供給し、役員会メンバー同士の、または役員会同士の役員会メンバーレベルでの比較を可能にするユーザインタフェースプラットフォームが提供される。複数の役員会の役員会メンバーに関連するパラメータを記憶する。複数の役員会の役員会メンバーおよび／または個々の役員会メンバーに関連するパラメータの表示を含むユーザインタフェースが作成され、役員会メンバー同士の、および／または役員会同士の役員会メンバーレベルでの比較を可能にする。本システムにより、ユーザが役員会および／または役員会メンバーのグループを定義することも可能になり、このグループの処理済パラメータを比較目的で使用することができる。
2004538553.tif 000002
【特許請求の範囲】
【請求項１】
会社の役員会データの処理システムであって、
役員会を構成する複数の役員会の役員会メンバーに関連するパラメータを記憶する役員会メンバーストアと、
複数の役員会の役員会メンバーおよび／または個々の役員会メンバーに関連する前記パラメータを表示するユーザインタフェースを作成して、役員会同士の役員会メンバーレベルでの、および／または役員会メンバー同士の比較を可能にするユーザインタフェースジェネレータと、を備える、会社の役員会データの処理システム。
【請求項２】
前記ユーザインタフェースジェネレータは、少なくとも１つの役員会の各メンバーの前記パラメータおよび／または前記少なくとも１つの役員会のメンバーの単数または複数の前記パラメータの平均値を表示するように適合されている請求項１に記載の会社の役員会データの処理システム。
【請求項３】
役員会または役員会メンバーのグループのパラメータを処理して、単数または複数のパラメータ総計、単数または複数のパラメータ平均値および単数または複数のパラメータ偏差値の少なくとも１つを含む処理済パラメータを求める役員会パラメータプロセッサをさらに備え、前記ユーザインタフェースジェネレータは、少なくとも１つの役員会または役員会メンバーのグループについて前記処理済パラメータの少なくとも１つを表示するユーザインタフェースを作成して、少なくとも１つの役員会または少なくとも１人の役員会メンバーとの比較を可能にするように適合されている請求項１または請求項２に記載の会社の役員会データの処理システム。
【請求項４】
前記ユーザインタフェースジェネレータは、役員会メンバーまたは役員会のグループに関連する前記パラメータの単数または複数の総計、平均値および偏差値の少なくとも１つを含む処理済パラメータを表示する前記ユーザインタフェースを作成して、少なくとも１つの役員会または少なくとも１人の役員会メンバーとの比較を可能にするように適合されている請求項１または請求項２に記載の会社の役員会データの処理システム。
【請求項５】
前記パラメータの相対値を基に役員会のグループのメンバーおよび／または役員会メンバーをランク付けするランキングプロセッサを含み、
前記ユーザインタフェースジェネレータは、前記グループの前記役員会および／または役員会メンバーの前記パラメータを表示するユーザインタフェースを作成してランキングを示すように適合されている請求項１または請求項２に記載の会社の役員会データの処理システム。
【請求項６】
前記処理済パラメータの相対値を基に役員会および／または役員会メンバーのグループをランク付けするランキングプロセッサを含み、
前記ユーザインタフェースジェネレータは、前記役員会および／または役員会メンバーのグループの前記処理済パラメータを表示するユーザインタフェースを作成してランキングを示すように適合されている請求項３または請求項４に記載の会社の役員会データの処理システム。
【請求項７】
前記役員会メンバーのグループは、ピアグループとして指定された、ユーザが選択した、および／または事前に定義された役員会または役員会メンバーのグループを含む請求項３ないし６のいずれか１項に記載の会社の役員会データの処理システム。
【請求項８】
ピアグループに含める少なくとも１つの役員会および／または少なくとも１人の役員会メンバーのユーザ選択を受け入れるユーザセレクタ手段をさらに備え、
前記役員会または役員会メンバーのグループは、ピアグループとして指定された、ユーザが選択した役員会または役員会メンバーのグループを含み、
前記パラメータプロセッサは、ピアグループの構成要素のパラメータを処理して、単数または複数のピアグループパラメータ総計、単数または複数のピアグループパラメータ平均値および単数または複数のピアグループパラメータ偏差値の少なくとも１つを求めるように適合されており、
前記ユーザインタフェースジェネレータは、前記処理済ピアグループパラメータの少なくとも１つを表示するユーザインタフェースを作成するように適合されている請求項３または請求項７に記載の会社の役員会データの処理システム。
【請求項９】
前記ユーザセレクタ手段は、少なくとも１つの役員会のピアグループと比較する少なくとも１つの役員会のユーザ選択を受け入れるようになっており、前記ユーザインタフェースジェネレータは、前記少なくとも１つの選択された役員会のメンバーに関連する前記パラメータを表示するユーザインタフェースを作成して、前記または各役員会を分析対象とすることを可能にするように適合されている請求項８に記載の会社の役員会データの処理システム。
【請求項１０】
前記ユーザインタフェースジェネレータは、前記少なくとも１つの選択された役員会の個々のメンバーに関連する前記パラメータを表示するユーザインタフェースを作成するように適合されている請求項８または請求項９に記載の会社の役員会データの処理システム。
【請求項１１】
前記ユーザセレクタ手段は、前記役員会メンバーのピアグループと比較する少なくとも１人の役員会メンバーのユーザ選択を受け入れるようになっており、前記ユーザインタフェースジェネレータは、前記少なくとも１人の選択された役員会メンバーに関連する前記パラメータを表示するユーザインタフェースを作成して、前記少なくとも１人の選択された役員会メンバーを分析対象とすることを可能にするように適合されている請求項８に記載の会社の役員会データの処理システム。
【請求項１２】
単数または複数のユーザが選択したピアグループのデータを記憶するピアグループデータストアをさらに備え、
前記ユーザインタフェースジェネレータは、前記記憶されているピアグループデータを基に既存のピアグループのリストを表示するユーザインタフェースを作成するように適合されており、
前記ユーザセレクタ手段は、前記リストからの単数または複数のピアグループのユーザ選択を受け入れるようになっており、
前記ユーザインタフェースジェネレータは、前記選択されたピアグループの少なくとも１つについて前記処理済パラメータの少なくとも１つを表示するユーザインタフェースを作成するように適合されている請求項８ないし１１のいずれか１項に記載の会社の役員会データの処理システム。
【請求項１３】
ユーザがピアグループの構成要素を修正することを可能にする比較グループ修正手段をさらに備える請求項８ないし１２のいずれか１項に記載の会社の役員会データの処理システム。
【請求項１４】
前記ピアグループ修正手段は、ユーザがあるピアグループの単数または複数の構成要素を別のピアグループにコピーすることを可能にするように適合されている請求項１３に記載の会社の役員会データの処理システム。
【請求項１５】
ユーザが特定の会社または役員会メンバーの名前を入力することによって前記役員会メンバーストア中の特定の役員会を検索することを可能にするようになっている検索手段をさらに備える請求項８ないし１４のいずれか１項に記載の会社の役員会データの処理システム。
【請求項１６】
前記検索手段は、ユーザが事前に定義されたリストから単数または複数のパラメータを選択することによって前記役員会メンバーストア中の特定の役員会を検索することを可能にするように適合されている請求項１５に記載の会社の役員会データの処理システム。
【請求項１７】
ピアグループを構成する役員会および／または役員会メンバーの事前に定義されたグループおよび前記ピアグループに関連するパラメータを記憶するストアをさらに備え、
前記ユーザインタフェースジェネレータは、前記事前に定義されたピアグループのリストを表示するユーザインタフェースを作成するように適合されており、
該システムは、前記リストからの単数または複数の前記事前に定義されたピアグループのユーザ選択を受け入れるユーザセレクタ手段をさらに備え、
前記ユーザインタフェースジェネレータは、前記選択された事前に定義されたピアグループについて前記記憶されている事前に定義されたピアグループ関連パラメータの少なくとも１つを表示するユーザインタフェースを作成するように適合されている請求項１ないし１６のいずれか１項に記載の会社の役員会データの処理システム。
【請求項１８】
前記記憶されている事前に定義されたピアグループ関連パラメータは、単数または複数のグループパラメータ総計、単数または複数のグループパラメータ平均値および単数または複数のグループパラメータ偏差値の少なくとも１つに関連する請求項１７に記載の会社の役員会データの処理システム。
【請求項１９】
会社の役員会データの処理方法であって、
役員会を構成する複数の役員会の役員会メンバーに関連するパラメータを記憶すること、および
複数の役員会の役員会メンバーおよび／または個々の役員会メンバーに関連する前記パラメータを表示するユーザインタフェースを作成することであって、役員会同士の役員会メンバーレベルでの、および／または役員会メンバー同士の比較を可能にする、作成すること、を含む、会社の役員会データの処理方法。
【請求項２０】
前記ユーザインタフェースは、少なくとも１つの役員会の各メンバーの前記パラメータおよび／または前記少なくとも１つの役員会の前記メンバーの単数または複数の前記パラメータの平均値を表示する請求項１９に記載の会社の役員会データの処理方法。
【請求項２１】
役員会または役員会メンバーのグループのパラメータを処理することであって、それによって、単数または複数のパラメータ総計、単数または複数のパラメータ平均値および単数または複数のパラメータ偏差値の少なくとも１つを求める、処理することをさらに含み、前記ユーザインタフェースは、少なくとも１つの役員会または役員会メンバーのグループについて前記処理済パラメータの少なくとも１つを表示して、少なくとも１つの役員会または少なくとも１人の役員会メンバーとの比較を可能にする請求項１９または請求項２０に記載の会社の役員会データの処理方法。
【請求項２２】
前記ユーザインタフェースは、役員会メンバーまたは役員会のグループに関連する前記パラメータの単数または複数の総計、平均値および偏差値の少なくとも１つを表示して、少なくとも１つの役員会または少なくとも１人の役員会メンバーとの比較を可能にする請求項１９または請求項２０に記載の会社の役員会データの処理方法。
【請求項２３】
前記パラメータの相対値を基に役員会のグループのメンバーおよび／または役員会メンバーをランク付けすることを含み、
前記ユーザインタフェースを作成することは、前記グループの前記役員会および／または役員会メンバーの前記パラメータを表示してランキングを示す請求項１９または請求項２０に記載の会社の役員会データの処理方法。
【請求項２４】
前記処理済パラメータの相対値を基に役員会および／または役員会メンバーのグループをランク付けすることを含み、
前記ユーザインタフェースを作成することは、前記役員会および／または役員会メンバのグループの前記処理済パラメータを表示してランキングを示す請求項２１または請求項２２に記載の会社の役員会データの処理方法。
【請求項２５】
前記役員会または役員会メンバーのグループは、ピアグループとして指定された、ユーザが選択した、および／または事前に定義された役員会または役員会メンバーのグループを含む請求項２１ないし２４のいずれか１項に記載の会社の役員会データの処理方法。
【請求項２６】
ピアグループに含める少なくとも１つの役員会および／または少なくとも１人の役員会メンバーのユーザ選択を受け入れることをさらに含み、
前記役員会または役員会メンバーのグループは、ピアグループとして指定された、ユーザが選択した役員会または役員会メンバーのグループを含み、
ピアグループの構成要素のパラメータが処理されて、単数または複数のピアグループパラメータ総計、単数または複数のピアグループパラメータ平均値および単数または複数のピアグループパラメータ偏差値の少なくとも１つが求められ、
前記ユーザインタフェースは、前記処理済ピアグループパラメータの少なくとも１つを表示する請求項２１または請求項２５に記載の会社の役員会データの処理方法。
【請求項２７】
少なくとも１つの役員会のピアグループと比較する少なくとも１つの役員会のユーザ選択を受け入れることをさらに含み、前記ユーザインタフェースは、前記少なくとも１つの選択された役員会のメンバーに関連する前記パラメータを表示して、前記役員会を分析対象とすることを可能にする請求項２６に記載の会社の役員会データの処理方法。
【請求項２８】
前記ユーザインタフェースは、前記少なくとも１つの選択された役員会の個々のメンバーに関連する前記パラメータを表示する請求項２６または請求項２７に記載の会社の役員会データの処理方法。
【請求項２９】
前記役員会メンバーのピアグループと比較する少なくとも１人の役員会メンバーのユーザ選択を受け入れることをさらに含み、前記ユーザインタフェースは、前記少なくとも１人の選択された役員会メンバーに関連する前記パラメータを表示して、前記少なくとも１人の選択された役員会メンバーを分析対象とすることを可能にする請求項２６に記載の会社の役員会データの処理方法。
【請求項３０】
単数または複数のユーザが選択したピアグループのデータを記憶することをさらに含み、
前記ユーザインタフェースは、前記記憶されているピアグループデータを基に既存のピアグループのリストを表示し、
前記リストからの単数または複数のピアグループのユーザ選択が受け入れられ、
前記ユーザインタフェースは、前記選択されたピアグループの少なくとも１つについて前記処理済パラメータの少なくとも１つを表示する請求項２６ないし２９のいずれか１項に記載の会社の役員会データの処理方法。
【請求項３１】
ピアグループの構成要素に対するユーザ修正を受け入れることをさらに含む請求項２６ないし３０のいずれか１項に記載の会社の役員会データの処理方法。
【請求項３２】
あるピアグループの単数または複数の構成要素を別のピアグループにコピーするユーザ命令を受け入れることをさらに含む請求項３１に記載の会社の役員会データの処理方法。
【請求項３３】
特定の会社または役員会メンバーの名前をユーザからの入力として受け入れること、および前記役員会メンバーストア中の特定の役員会を検索することをさらに含む請求項２６ないし３２のいずれか１項に記載の会社の役員会データの処理方法。
【請求項３４】
事前に定義されたリストからの単数または複数のパラメータのユーザ選択を受け入れること、および前記役員会メンバーストア中の特定の役員会を検索することをさらに含む請求項３３に記載の会社の役員会データの処理方法。
【請求項３５】
ピアグループを構成する役員会および／または役員会メンバーの事前に定義されたグループおよび前記ピアグループに関連するパラメータを記憶することをさらに含み、
前記ユーザインタフェースは、前記事前に定義されたピアグループのリストを表示し、
なお、前記リストからの単数または複数の前記事前に定義されたピアグループのユーザ選択を受け入れることをさらに含み、
前記ユーザインタフェースは、前記選択された事前に定義されたピアグループについて前記記憶されている事前に定義されたピアグループ関連パラメータの少なくとも１つを表示する請求項１９ないし３４のいずれか１項に記載の会社の役員会データの処理方法。
【請求項３６】
前記記憶されている事前に定義されたピアグループ関連パラメータは、単数または複数のグループパラメータ総計、単数または複数のグループパラメータ平均値および単数または複数のグループパラメータ偏差値の少なくとも１つに関連する請求項３５に記載の会社の役員会データの処理方法。
【請求項３７】
会社の役員会データの処理システムであって、プロセッサが実行可能な命令を記憶するプログラムメモリと、
前記プログラムメモリに記憶されている前記命令を読み取って実行するプロセッサと、を備え、
前記プログラムメモリに記憶されている前記命令は、請求項１９ないし３６のいずれか１項に記載の方法を実行する前記プロセッサを制御する命令を含む、会社の役員会データの処理システム。
【請求項３８】
請求項１９ないし３６のいずれか１項に記載の方法を実行するコンピュータを制御する、コンピュータが読み取り可能な命令を搬送するキャリア媒体。
【請求項３９】
会社の役員会データの処理システムであって、
複数の役員会の役員会メンバーに関連するパラメータを記憶する役員会メンバーストアと、
ピアグループに含める少なくとも１つの役員会および／または少なくとも１人の役員会メンバーのユーザ選択を受け入れるユーザセレクタ手段と、
ピアグループの構成要素のパラメータを処理して、単数または複数のピアグループパラメータ総計、単数または複数のピアグループパラメータ平均値および単数または複数のピアグループパラメータ偏差値の少なくとも１つを求めるパラメータプロセッサと、
前記処理済ピアグループパラメータの少なくとも１つを出力する出力手段と、を備える、会社の役員会データの処理システム。
【請求項４０】
前記ユーザセレクタ手段は、前記役員会のピアグループの少なくとも１つと比較する少なくとも１つの役員会のユーザ選択を受け入れるようになっており、前記出力手段は、前記少なくとも１つの選択された役員会のメンバーに関連する前記パラメータを出力して、前記または各役員会を分析対象とすることを可能にするように適合されている請求項３９に記載の会社の役員会データの処理システム。
【請求項４１】
前記出力手段は、前記または各選択された役員会の個々のメンバーに関連する前記パラメータを出力するように適合されている請求項３９または請求項４０に記載の会社の役員会データの処理システム。
【請求項４２】
前記ユーザセレクタ手段は、前記役員会メンバーのピアグループと比較する少なくとも１人の役員会メンバーのユーザ選択を受け入れるようになっており、前記出力手段は、前記少なくとも１人の役員会メンバーに関連する前記パラメータを出力して、前記または各役員会メンバーを分析対象とすることを可能にするように適合されている請求項３９に記載の会社の役員会データの処理システム。
【請求項４３】
単数または複数のユーザが選択したピアグループのデータを記憶するピアグループデータストアをさらに備え、
前記出力手段は、前記記憶されているピアグループデータを基に既存のピアグループのリストを出力するように適合されており、
前記ユーザセレクタ手段は、前記リストからの単数または複数のピアグループのユーザ選択を受け入れるようになっており、
前記出力手段は、前記選択されたピアグループについて前記処理済パラメータの少なくとも１つを出力するように適合されている請求項３９ないし４２のいずれか１項に記載の会社の役員会データの処理システム。
【請求項４４】
ユーザが前記ピアグループの構成要素を修正することを可能にする比較グループ修正手段をさらに備える請求項３９ないし４３のいずれか１項に記載の会社の役員会データの処理システム。
【請求項４５】
前記ピアグループ修正手段は、ユーザがあるピアグループの単数または複数の構成要素を別のピアグループにコピーすることを可能にするように適合されている請求項４４に記載の会社の役員会データの処理システム。
【請求項４６】
ユーザが特定の会社または役員会メンバーの名前を入力することによって前記役員会メンバーストア中の特定の役員会および／または役員会メンバーを検索することを可能にするようになっている検索手段をさらに備える請求項３９ないし４５のいずれか１項に記載の会社の役員会データの処理システム。
【請求項４７】
前記検索手段は、ユーザが事前に定義されたリストから単数または複数のパラメータを選択することによって前記役員会メンバーストア中の特定の役員会および／または役員会メンバーを検索することを可能にするように適合されている請求項４６に記載の会社の役員会データの処理システム。
【請求項４８】
ピアグループを構成する役員会および／または役員会メンバーの事前に定義されたグループおよび前記ピアグループに関連するパラメータを記憶するストアをさらに備え、
前記出力手段は、前記事前に定義されたピアグループのリストを出力するように適合されており、
前記ユーザセレクタ手段は、前記リストからの単数または複数の前記事前に定義されたピアグループのユーザ選択を受け入れるようになっており、
前記出力手段は、前記選択された事前に定義されたピアグループについて前記記憶されている事前に定義されたピアグループ関連パラメータの少なくとも１つを出力するように適合されている請求項３９ないし４７のいずれか１項に記載の会社の役員会データの処理システム。
【請求項４９】
前記記憶されている事前に定義されたピアグループ関連パラメータは、単数または複数のピアグループパラメータ総計、単数または複数のピアグループパラメータ平均値および単数または複数のピアグループパラメータ偏差値の少なくとも１つに関連する請求項４８に記載の会社の役員会データの処理システム。
【請求項５０】
会社の役員会データの処理方法であって、
役員会を構成する複数の役員会の役員会メンバーに関連するパラメータを記憶すること、
ピアグループに含める少なくとも１つの役員会および／または少なくとも１人の役員会メンバーのユーザ選択を受け入れること、
ピアグループの構成要素のパラメータを処理することであって、それによって、単数または複数のピアグループパラメータ総計、単数または複数のピアグループパラメータ平均値および単数または複数のピアグループパラメータ偏差値の少なくとも１つを求める、処理すること、および
前記処理済ピアグループパラメータの少なくとも１つを出力すること、を含む、会社の役員会データの処理方法。
【請求項５１】
前記役員会関連ピアグループの少なくとも１つと比較する単数または複数の役員会のユーザ選択を受け入れることをさらに含み、前記役員会のメンバーに関連する前記パラメータが出力されて、前記役員会を分析対象とすることを可能にする請求項５０に記載の会社の役員会データの処理方法。
【請求項５２】
前記または各選択された役員会の個々のメンバーに関連する前記パラメータが出力される請求項５０または請求項５１に記載の会社の役員会データの処理方法。
【請求項５３】
前記役員会メンバー関連ピアグループと比較する単数または複数の役員会メンバーのユーザ選択を受け入れることをさらに含み、前記役員会メンバーに関連する前記パラメータが出力されて、前記役員会メンバーを分析対象とすることを可能にする請求項５０に記載の会社の役員会データの処理方法。
【請求項５４】
単数または複数のユーザが選択したピアグループのデータを記憶すること、
前記記憶されているピアグループデータを基に既存のピアグループのリストを出力すること、
前記リストからの単数または複数のピアグループのユーザ選択を受け入れること、および
前記選択されたピアグループについて前記処理済パラメータの少なくとも１つを出力すること、をさらに含む請求項５０ないし５３のいずれか１項に記載の会社の役員会データの処理方法。
【請求項５５】
前記ピアグループの構成要素に対するユーザ修正を受け入れることをさらに含む請求項５０ないし５４のいずれか１項に記載の会社の役員会データの処理方法。
【請求項５６】
あるピアグループの単数または複数の構成要素を別のピアグループにコピーするユーザ命令を受け入れることをさらに含む請求項５５に記載の会社の役員会データの処理方法。
【請求項５７】
特定の会社または役員会メンバーの名前をユーザからの入力として受け入れること、および前記役員会メンバーストア中の特定の役員会および／または役員会メンバーを検索することをさらに含む請求項５０ないし５６のいずれか１項に記載の会社の役員会データの処理方法。
【請求項５８】
事前に定義されたリストからの単数または複数のパラメータのユーザ選択を受け入れること、および前記役員会メンバーストア中の特定の役員会および／または役員会メンバーを検索することをさらに含む請求項５７に記載の会社の役員会データの処理方法。
【請求項５９】
ピアグループを構成する役員会および／または役員会メンバーの事前に定義されたグループおよび前記ピアグループに関連するパラメータを記憶すること、
前記事前に定義されたピアグループのリストを出力すること、
前記リストからの単数または複数の前記事前に定義されたピアグループのユーザ選択を受け入れること、および
前記ユーザインタフェースは、前記選択された事前に定義されたピアグループの前記記憶されている事前に定義されたピアグループ関連パラメータの少なくとも１つを出力すること、をさらに含む請求項５０ないし５８のいずれか１項に記載の会社の役員会データの処理方法。
【請求項６０】
前記記憶されている事前に定義されたピアグループ関連パラメータは、単数または複数のピアグループパラメータ総計、単数または複数のピアグループパラメータ平均値および単数または複数のピアグループパラメータ偏差値の少なくとも１つに関連する請求項５９に記載の会社の役員会データの処理方法。
【請求項６１】
会社の役員会データの処理システムであって、プロセッサが実行可能な命令を記憶するプログラムメモリと、
前記プログラムメモリに記憶されている前記命令を読み取って実行するプロセッサと、を備え、
前記プログラムメモリに記憶されている前記命令は、請求項５０ないし６０のいずれか１項に記載の方法を実行する前記プロセッサを制御する命令を含む、会社の役員会データの処理システム。
【請求項６２】
請求項５０ないし６０のいずれか１項に記載の方法を実行する、コンピュータが読み取り可能なコンピュータを制御する命令を搬送するキャリア媒体。
【請求項６３】
会社の役員会データの処理システムであって、
ピアグループを構成する役員会および／または役員会メンバーの事前に定義されたグループおよび前記ピアグループに関連する事前に定義されたパラメータを記憶するストアと、
前記ピアグループのリストを出力する出力手段と、
前記リストからの単数または複数の前記ピアグループのユーザ選択を受け入れるユーザセレクタ手段と、を備え、
前記出力手段は、前記または各選択されたピアグループの前記事前に定義されたパラメータの少なくとも１つを出力するように適合されている、会社の役員会データの処理システム。
【請求項６４】
前記事前に定義されたパラメータは、単数または複数のピアグループパラメータ総計、単数または複数のピアグループパラメータ平均値および単数または複数のピアグループパラメータ偏差値の少なくとも１つに関連する請求項６３に記載の会社の役員会データの処理システム。
【請求項６５】
ピアグループの構成要素のパラメータを処理して、単数または複数のピアグループパラメータ総計、単数または複数のピアグループパラメータ平均値および／または単数または複数のピアグループパラメータ偏差値の少なくとも１つを求めるパラメータプロセッサをさらに備え、前記出力手段は、前記処理済パラメータのいずれかを出力するように適合されている請求項６３または請求項６４に記載の会社の役員会データの処理システム。
【請求項６６】
前記ストアは、役員会を構成する複数の役員会の役員会メンバーに関連するパラメータを記憶し、
前記ユーザセレクタ手段は、いずれかの前記役員会のピアグループと比較する単数または複数の前記役員会のユーザ選択を受け入れるようになっており、
前記出力手段は、前記役員会の各メンバーの前記役員会メンバーパラメータを個別に出力し、前記役員会を分析対象とすることを可能にするように適合されている請求項６３ないし６５のいずれか１項に記載の会社の役員会データの処理システム。
【請求項６７】
前記ユーザセレクタ手段は、いずれかの前記役員会メンバーのピアグループと比較する少なくとも１人の役員会メンバーのユーザ選択を受け入れるようになっており、前記出力手段は、前記少なくとも１人の役員会メンバーの前記パラメータを出力して、前記または各役員会メンバーを分析対象とすることを可能にするように適合されている請求項６３ないし６５のいずれか１項に記載の会社の役員会データの処理システム。
【請求項６８】
ユーザが前記ピアグループの構成要素を修正することを可能にする比較グループ修正手段をさらに備える請求項６３ないし６７のいずれか１項に記載の会社の役員会データの処理システム。
【請求項６９】
前記ピアグループ修正手段は、ユーザが１つの前記ピアグループの単数または複数の構成要素を別の前記ピアグループにコピーすることを可能にするように適合されている請求項６８に記載の会社の役員会データの処理システム。
【請求項７０】
会社の役員会データの処理方法であって、
ピアグループを構成する役員会および／または役員会メンバーの事前に定義されたグループおよび前記ピアグループに関連する事前に定義されたパラメータを記憶すること、
前記ピアグループのリストを出力すること、
該システムは、前記リストからの単数または複数の前記ピアグループのユーザ選択を受け入れること、および
前記または各選択されたピアグループの前記事前に定義されたパラメータの少なくとも１つを出力すること、を含む、会社の役員会データの処理方法。
【請求項７１】
前記事前に定義されたパラメータは、単数または複数のピアグループパラメータ総計、単数または複数のピアグループパラメータ平均値および単数または複数のピアグループパラメータ偏差値の少なくとも１つに関連する請求項７０に記載の会社の役員会データの処理方法。
【請求項７２】
ピアグループの構成要素のパラメータを処理することであって、それによって、単数または複数のピアグループパラメータ総計、単数または複数のピアグループパラメータ平均値および／または単数または複数のピアグループパラメータ偏差値の少なくとも１つを求める、処理することをさらに含み、前記処理済パラメータのいずれかが出力される請求項７０または請求項７１に記載の会社の役員会データの処理方法。
【請求項７３】
役員会を構成する複数の役員会の役員会メンバーに関連するパラメータを記憶すること、
いずれかの前記役員会のピアグループと比較する少なくとも１つの前記役員会のユーザ選択を受け入れること、および
前記少なくとも１つの役員会の各メンバーの前記役員会メンバーパラメータを個別に出力することであって、それによって前記または各役員会を分析対象とすることを可能にする、出力すること、をさらに含む請求項７０ないし７２のいずれか１項に記載の会社の役員会データの処理方法。
【請求項７４】
いずれかの前記役員会メンバーのピアグループと比較する単数または複数の役員会メンバーのユーザ選択を受け入れること、および前記役員会メンバーの前記パラメータを出力することであって、それによって前記役員会メンバーを分析対象とすることを可能にする、出力すること、をさらに含む請求項７０ないし７２のいずれか１項に記載の会社の役員会データの処理方法。
【請求項７５】
前記ピアグループの構成要素のユーザ修正を受け入れることをさらに含む請求項７０ないし７３のいずれか１項に記載の会社の役員会データの処理方法。
【請求項７６】
１つの前記ピアグループの単数または複数の構成要素を別の前記ピアグループにコピーする命令をユーザから受け入れることをさらに含む請求項７５に記載の会社の役員会データの処理方法。
【請求項７７】
会社の役員会データの処理システムであって、プロセッサが実行可能な命令を記憶するプログラムメモリと、
前記プログラムメモリに記憶されている前記命令を読み取って実行するプロセッサと、を備え、
前記プログラムメモリに記憶されている前記命令は、請求項７０ないし７６のいずれか１項に記載の方法を実行する前記プロセッサを制御する命令を含む、会社の役員会データの処理システム。
【請求項７８】
請求項７０ないし７６のいずれか１項に記載の方法を実行するコンピュータを制御する、コンピュータが読み取り可能な命令を搬送するキャリア媒体。
【請求項７９】
会社の役員会データの処理システムであって、
複数の役員会メンバーについて役員会メンバー関連パラメータを記憶する役員会メンバーストアと、
前記役員会メンバー関連パラメータの、事前に定義されたパラメータからの偏差値を求めるパラメータ偏差値算出手段と、
前記求めた偏差値に応じて強調表示された前記役員会メンバー関連パラメータの少なくとも１つを表示するユーザインタフェースを作成するユーザインタフェースジェネレータと、を備える、会社の役員会データの処理システム。
【請求項８０】
前記ユーザインタフェースジェネレータは、前記役員会メンバー関連パラメータの各々を複数の色の１つで強調表示するようになっており、前記色は前記求めた偏差値の相対値に関連する請求項７９に記載の会社の役員会データの処理システム。
【請求項８１】
前記役員会メンバー関連パラメータは、複数の前記役員会メンバーの単数または複数のパラメータ総計、単数または複数のパラメータ平均値および／または単数または複数のパラメータ偏差値に関連する請求項７９または請求項８０に記載の会社の役員会データの処理システム。
【請求項８２】
前記事前に定義されたパラメータは、ピアグループを構成する前記役員会メンバーのグループに関連する請求項７９ないし８１のいずれか１項に記載の会社の役員会データの処理システム。
【請求項８３】
前記事前に定義されたパラメータは、前記ピアグループのメンバーの前記パラメータの単数または複数の総計、単数または複数の平均値および単数または複数の偏差値の少なくとも１つに関連する請求項８２に記載の会社の役員会データの処理システム。
【請求項８４】
パラメータを処理して、前記事前に定義されたパラメータの単数または複数の総計、単数または複数の平均値および単数または複数の偏差値の少なくとも１つを求めるパラメータプロセッサをさらに備え、前記ユーザインタフェースジェネレータは、前記処理済パラメータを表示する前記ユーザインタフェースを作成するように適合されている請求項７９ないし８３のいずれか１項に記載の会社の役員会データの処理システム。
【請求項８５】
前記パラメータ偏差値算出手段は、前記役員会メンバー関連パラメータが前記事前に定義されたパラメータと異なる標準偏差値の数として前記偏差値を求めるように適合されている請求項７９ないし８４のいずれか１項に記載の会社の役員会データの処理システム。
【請求項８６】
前記ユーザインタフェースジェネレータは、前記役員会メンバー関連パラメータまたは前記事前に定義されたパラメータをそれぞれ含む複数のセルを含むデータ表を表示するユーザインタフェースを作成するように適合されており、また、前記役員会メンバー関連パラメータを含む前記セルを前記求めた偏差値に応じて強調表示するように適合されている請求項７９ないし８５のいずれか１項に記載の会社の役員会データの処理システム。
【請求項８７】
前記ユーザインタフェースジェネレータは、前記セルの各々を複数の色の１つで強調表示するようになっており、前記色は前記求めた偏差値の相対値に関連する請求項８６に記載の会社の役員会データの処理システム。
【請求項８８】
前記事前に定義されたパラメータは、ピアグループに設定された、ユーザが選択した、および／または事前に定義された役員会メンバーのグループに関連する請求項７９ないし８７のいずれか１項に記載の会社の役員会データの処理システム。
【請求項８９】
ピアグループに含める少なくとも１つの役員会および／または少なくとも１人の役員会メンバーのユーザ選択を受け入れるユーザセレクタ手段と、
ピアグループの構成要素のパラメータを処理して、前記事前に定義されたパラメータを単数または複数のピアグループパラメータ総計、単数または複数のピアグループパラメータ平均値および単数または複数のピアグループパラメータ偏差値の少なくとも１つとして求めるパラメータプロセッサと、をさらに備える請求項８８に記載の会社の役員会データの処理システム。
【請求項９０】
前記ユーザセレクタ手段は、前記役員会関連ピアグループの少なくとも１つと比較する単数または複数の役員会のユーザ選択を受け入れるようになっており、前記ユーザインタフェースジェネレータは、前記求めた偏差値に応じて強調表示された前記役員会のメンバーに関連する前記パラメータを表示する前記ユーザインタフェースを作成して、前記役員会を分析対象とすることを可能にするように適合されている請求項８９に記載の会社の役員会データの処理システム。
【請求項９１】
前記ユーザインタフェースジェネレータは、前記求めた偏差値に応じて強調表示された前記または各選択された役員会の個々のメンバーに関連する前記パラメータを表示するユーザインタフェースを作成するように適合されている請求項８９または請求項９０に記載の会社の役員会データの処理システム。
【請求項９２】
前記ユーザセレクタ手段は、前記役員会メンバーのピアグループと比較する少なくとも１人の役員会メンバーのユーザ選択を受け入れるようになっており、前記ユーザインタフェースジェネレータは、前記求めた偏差値に応じて強調表示された前記少なくとも１人の役員会メンバーに関連する前記パラメータを表示する前記ユーザインタフェースを作成して、前記または各役員会メンバーを分析対象とすることを可能にするように適合されている請求項８９に記載の会社の役員会データの処理システム。
【請求項９３】
単数または複数のユーザが選択したピアグループのデータを記憶するピアグループデータストアをさらに備え、
前記ユーザインタフェースジェネレータは、前記記憶されているピアグループデータを基に既存のピアグループのリストを表示するユーザインタフェースを作成するように適合されており、
前記ユーザセレクタ手段は、前記リストからの単数または複数のピアグループのユーザ選択を受け入れるようになっており、
前記ユーザインタフェースジェネレータは、前記求めた偏差値に応じて強調表示された前記選択されたピアグループの少なくとも１つについて前記処理済パラメータの少なくとも１つを表示する前記ユーザインタフェースを作成するように適合されている請求項８９ないし９２のいずれか１項に記載の会社の役員会データの処理システム。
【請求項９４】
ユーザがピアグループの構成要素を修正することを可能にする比較グループ修正手段をさらに備える請求項８９ないし９３のいずれか１項に記載の会社の役員会データの処理システム。
【請求項９５】
前記ピアグループ修正手段は、ユーザがあるピアグループの単数または複数の構成要素を別のピアグループにコピーすることを可能にするように適合されている請求項９４に記載の会社の役員会データの処理システム。
【請求項９６】
ユーザが特定の会社または役員会メンバーの名前を入力することによって前記役員会メンバーストア中の特定の役員会を検索することを可能にするようになっている検索手段をさらに備える請求項８９ないし９５のいずれか１項に記載の会社の役員会データの処理システム。
【請求項９７】
前記検索手段は、ユーザが事前に定義されたリストから単数または複数のパラメータを選択することによって前記役員会メンバーストア中の特定の役員会を検索することを可能にするように適合されている請求項９６に記載の会社の役員会データの処理システム。
【請求項９８】
ピアグループを構成する役員会および／または役員会メンバーの事前に定義されたグループおよび前記ピアグループに関連するパラメータを記憶するストアをさらに備え、
前記ユーザインタフェースジェネレータは、前記事前に定義されたピアグループのリストを表示するユーザインタフェースを作成するように適合されており、
なお、前記リストからの単数または複数の前記事前に定義されたピアグループのユーザ選択を受け入れるようになっているグループ毎のユーザセレクタ手段を含み、
前記ユーザインタフェースジェネレータは、前記選択された事前に定義されたピアグループについて前記記憶されている事前に定義されたピアグループ関連パラメータの少なくとも１つを表示するユーザインタフェースを作成するように適合されている請求項８９ないし９７のいずれか１項に記載の会社の役員会データの処理システム。
【請求項９９】
前記記憶されている事前に定義されたピアグループ関連パラメータは、単数または複数のグループパラメータ総計、単数または複数のグループパラメータ平均値および単数または複数のグループパラメータ偏差値の少なくとも１つに関連する請求項９８に記載の会社の役員会データの処理システム。
【請求項１００】
会社の役員会データの処理方法であって、
複数の役員会メンバーについて役員会メンバー関連パラメータを記憶すること、
前記役員会メンバー関連パラメータの、事前に決められたパラメータからの偏差値を求めること、および
前記求めた偏差値に応じて強調表示された前記役員会メンバー関連パラメータの少なくとも１つを表示するユーザインタフェースを作成すること、を含む、会社の役員会データの処理方法。
【請求項１０１】
前記ユーザインタフェースは、前記役員会メンバー関連パラメータの各々を複数の色の１つで強調表示するように作成され、前記色は前記求めた偏差値の相対値に関連する請求項１００に記載の会社の役員会データの処理方法。
【請求項１０２】
前記役員会メンバー関連パラメータは、複数の前記役員会メンバーの単数または複数のパラメータ総計、単数または複数のパラメータ平均値および／または単数または複数のパラメータ偏差値に関連する請求項１００または請求項１０１に記載の会社の役員会データの処理方法。
【請求項１０３】
前記事前に決められたパラメータは、ピアグループを構成する前記役員会メンバーのグループに関連する請求項１００ないし１０２のいずれか１項に記載の会社の役員会データの処理方法。
【請求項１０４】
前記事前に決められたパラメータは、前記ピアグループの前記メンバーの前記パラメータの単数または複数の総計、単数または複数の平均値および単数または複数の偏差値の少なくとも１つに関連する請求項１０３に記載の会社の役員会データの処理方法。
【請求項１０５】
パラメータを処理することであって、それによって、前記事前に決められたパラメータの単数または複数の総計、単数または複数の平均値および単数または複数の偏差値の少なくとも１つを求める、処理することをさらに含み、前記ユーザインタフェースは前記処理済パラメータを表示する請求項１００ないし１０４のいずれか１項に記載の会社の役員会データの処理方法。
【請求項１０６】
前記求めた偏差値は、前記役員会メンバー関連パラメータが前記事前に決められたパラメータと異なる標準偏差の数を含む請求項１００ないし１０５のいずれか１項に記載の会社の役員会データの処理方法。
【請求項１０７】
前記ユーザインタフェースは、前記役員会メンバー関連パラメータまたは前記事前に決められたパラメータをそれぞれ含む複数のセルを含むデータ表を表示し、前記役員会メンバー関連パラメータを含む前記セルは前記求めた偏差値に応じて強調表示される請求項１００ないし１０５のいずれか１項に記載の会社の役員会データの処理方法。
【請求項１０８】
前記ユーザインタフェースは、前記セルの各々を複数の色の１つで強調表示し、前記色は前記求めた偏差値の相対値に関連する請求項１０７に記載の会社の役員会データの処理方法。
【請求項１０９】
前記事前に決められたパラメータは、ピアグループに設定された、ユーザが選択した、および／または事前に定義された役員会メンバーのグループに関連する請求項１００ないし１０８のいずれか１項に記載の会社の役員会データの処理方法。
【請求項１１０】
ピアグループに含める少なくとも１つの役員会および／または少なくとも１人の役員会メンバーのユーザ選択を受け入れること、および
ピアグループの構成要素のパラメータを処理することであって、それによって、前記事前に決められたパラメータを単数または複数のピアグループパラメータ総計、単数または複数のピアグループパラメータ平均値および単数または複数のピアグループパラメータ偏差値の少なくとも１つとして求める、処理すること、をさらに含む請求項１０９に記載の会社の役員会データの処理方法。
【請求項１１１】
前記役員会関連ピアグループの少なくとも１つと比較する単数または複数の役員会のユーザ選択が受け入れられ、前記ユーザインタフェースは、前記求めた偏差値に応じて強調表示された前記役員会のメンバーに関連する前記パラメータを表示して、前記役員会を分析対象とすることを可能にする請求項１１０に記載の会社の役員会データの処理方法。
【請求項１１２】
前記ユーザインタフェースは、前記求めた偏差値に応じて強調表示された前記または各選択された役員会の個々のメンバーに関連する前記パラメータを表示する請求項１１０または請求項１１１に記載の会社の役員会データの処理方法。
【請求項１１３】
前記役員会メンバーのピアグループと比較する少なくとも１人の役員会メンバーのユーザ選択が受け入れられ、前記ユーザインタフェースは、前記求めた偏差値に応じて強調表示された前記少なくとも１人の役員会メンバーに関連する前記パラメータを表示して、前記または各役員会メンバーを分析対象とすることを可能にするように適合されている請求項１１０に記載の会社の役員会データの処理方法。
【請求項１１４】
単数または複数のユーザが選択したピアグループのデータをピアグループデータストアに記憶することをさらに含み、
前記ユーザインタフェースは、前記記憶されているピアグループデータを基に既存のピアグループのリストを表示し、
前記リストからの単数または複数のピアグループのユーザ選択が受け入れられ、
前記ユーザインタフェースは、前記求めた偏差値に応じて強調表示された前記選択されたピアグループの少なくとも１つについて前記処理済パラメータの少なくとも１つを表示する請求項１１０ないし１１３のいずれか１項に記載の会社の役員会データの処理方法。
【請求項１１５】
ピアグループの構成要素のユーザ修正を受け入れることをさらに含む請求項１１０ないし１１４のいずれか１項に記載の会社の役員会データの処理方法。
【請求項１１６】
あるピアグループの単数または複数の構成要素を別のピアグループにコピーする命令がユーザから受け入れられる請求項１１５に記載の会社の役員会データの処理方法。
【請求項１１７】
特定の会社または役員会メンバーの名前をユーザから受け入れることであって、それによって、前記役員会メンバーストア中の特定の役員会を検索する、受け入れることをさらに含む請求項１１０ないし１１６のいずれか１項に記載の会社の役員会データの処理方法。
【請求項１１８】
事前に定義されたリストからの単数または複数のパラメータのユーザ選択が受け入れられて、前記役員会メンバーストア中の特定の役員会が検索される請求項１１７に記載の会社の役員会データの処理方法。
【請求項１１９】
ピアグループを構成する役員会および／または役員会メンバーの事前に定義されたグループおよび前記ピアグループに関連するパラメータを記憶することをさらに含み、
前記ユーザインタフェースは、前記事前に定義されたピアグループのリストを表示するように作成され、
前記リストからの単数または複数の前記事前に定義されたピアグループのユーザ選択が受け入れられ、
前記ユーザインタフェースは、前記選択された事前に定義されたピアグループについて前記記憶されている事前に定義されたピアグループ関連パラメータの少なくとも１つを表示するユーザインタフェースを作成する請求項１１０ないし１１８のいずれか１項に記載の会社の役員会データの処理方法。
【請求項１２０】
前記記憶されている事前に定義されたピアグループ関連パラメータは、単数または複数のグループパラメータ総計、単数または複数のグループパラメータ平均値および単数または複数のグループパラメータ偏差値の少なくとも１つに関連する請求項１１９に記載の会社の役員会データの処理方法。
【請求項１２１】
会社の役員会データの処理システムであって、プロセッサが実行可能な命令を記憶するプログラムメモリと、
前記プログラムメモリに記憶されている前記命令を読み取って実行するプロセッサと、を備え、
前記プログラムメモリに記憶されている前記命令は、請求項１００ないし１２０のいずれか１項に記載の方法を実行する前記プロセッサを制御する命令を含む、会社の役員会データの処理システム。
【請求項１２２】
請求項１００ないし１２０のいずれか１項に記載の方法を実行するコンピュータを制御する、コンピュータが読み取り可能な命令を搬送するキャリア媒体。
【請求項１２３】
会社の役員会データの処理システムであって、
複数の役員会について役員会メンバー関連パラメータを記憶する役員会メンバーストアと、
比較目的で単数または複数の役員会および／または役員会メンバーについて単数または複数の前記役員会メンバー関連パラメータの多軸プロットを作成および表示するようになっているユーザインタフェースジェネレータと、を備える、会社の役員会データの処理システム。
【請求項１２４】
複数の前記パラメータの単数または複数の総計、単数または複数の平均値および単数または複数の偏差値の少なくとも１つを基に前記多軸プロット上の少なくとも１つの軸のスケールを決定するプロセッサをさらに備え、前記ユーザインタフェースジェネレータは、前記多軸プロット上の少なくとも１つの軸を前記決定したスケールに等しいスケールを用いて表示するように適合されている請求項１２３に記載の会社の役員会データの処理システム。
【請求項１２５】
前記役員会メンバーストアは、前記役員会メンバーがグループに分類されるように前記パラメータを記憶し、前記ユーザインタフェースジェネレータは、単数または複数の前記グループの前記パラメータの単数または複数の総計、単数または複数の平均値または単数または複数の偏差値の少なくとも１つの多軸プロットの表示を作成するようになっている請求項１２３または請求項１２４に記載の会社の役員会データの処理システム。
【請求項１２６】
前記グループは役員会を構成する請求項１２５に記載の会社の役員会データの処理システム。
【請求項１２７】
前記グループのパラメータを処理して、単数または複数のグループパラメータ総計、単数または複数のグループパラメータ平均値および単数または複数のグループパラメータ偏差値の少なくとも１つを求めるように適合されているパラメータプロセッサをさらに備え、
前記ユーザインタフェースジェネレータは、複数の前記パラメータおよび／または処理済パラメータを多軸プロット上に表示して、各軸を異なるパラメータタイプに対して示すように適合されている請求項１２５または請求項１２６に記載の会社の役員会データの処理システム。
【請求項１２８】
前記プロセッサは、前記多軸プロット上の少なくとも１つの軸上に既に表示されている少なくとも１つのパラメータの、前記グループまたは複数の役員会および／または役員会メンバーの複数の前記記憶されているパラメータおよび／または前記処理済パラメータの平均値からの事前に求められた偏差値レベルを基に前記少なくとも１つの軸のスケールを決定するように適合されている請求項１２７に記載の会社の役員会データの処理システム。
【請求項１２９】
前記パラメータプロセッサは、少なくとも１つのパラメータ軸上に表示されている少なくとも１つのパラメータの、前記グループまたは複数の役員会および／または役員会メンバーに関連する複数の記憶されているパラメータおよび／または処理済パラメータの平均値からの−ｎの標準偏差の最小軸値および＋ｍの標準偏差の最大軸値を求めることによって前記少なくとも１つのパラメータ軸の前記スケールを決定するように適合されており、ここでｎおよびｍは整数である請求項１２７または請求項１２８に記載の会社の役員会データの処理システム。
【請求項１３０】
前記複数の役員会および／または役員会メンバーは、所定の事前に定義された地域からの全ての前記役員会および／または役員会メンバーを含む請求項１２９に記載の会社の役員会データの処理システム。
【請求項１３１】
前記役員会メンバーストアは、少なくとも何人かの前記役員会メンバーのパラメータを、ピアグループとして指定された、ユーザが選択した、および／または事前に定義された役員会メンバーのグループとして記憶する請求項１２３ないし１３０のいずれか１項に記載の会社の役員会データの処理システム。
【請求項１３２】
ピアグループに含める少なくとも１つの役員会および／または少なくとも１人の役員会メンバーのユーザ選択を受け入れるユーザセレクタ手段と、
ピアグループの構成要素のパラメータを処理して、単数または複数のピアグループパラメータ総計、単数または複数のピアグループパラメータ平均値および単数または複数のピアグループパラメータ偏差値の少なくとも１つを求めるパラメータプロセッサと、をさらに備え、
前記ユーザインタフェースジェネレータは、前記ピアグループに関連する単数または複数の前記処理済パラメータの多軸プロットを表示する前記ユーザインタフェースを作成するように適合されている請求項１３１に記載の会社の役員会データの処理システム。
【請求項１３３】
前記ユーザセレクタ手段は、前記役員会ピアグループの少なくとも１つと比較する単数または複数の役員会のユーザ選択を受け入れるようになっており、前記ユーザインタフェースジェネレータは、前記少なくとも１人の役員会のメンバーに関連する単数または複数のパラメータの多軸プロットを表示するユーザインタフェースを作成し、前記または各役員会を分析対象とすることを可能にするように適合されている請求項１３２に記載の会社の役員会データの処理システム。
【請求項１３４】
前記ユーザインタフェースジェネレータは、前記または各選択された役員会の個々のメンバーに関連する前記パラメータの多軸プロットを表示するユーザインタフェースを作成するように適合されている請求項１３２または請求項１３３に記載の会社の役員会データの処理システム。
【請求項１３５】
前記ユーザセレクタ手段は、前記役員会メンバー関連ピアグループと比較する少なくとも１人の役員会メンバーのユーザ選択を受け入れるようになっており、前記ユーザインタフェースジェネレータは、前記少なくとも１人の役員会メンバーに関連する前記パラメータの多軸プロットを表示するユーザインタフェースを作成して、前記または各役員会メンバーを分析対象とすることを可能にするように適合されている請求項１３２に記載の会社の役員会データの処理システム。
【請求項１３６】
前記ユーザインタフェースジェネレータは、前記役員会メンバーストア中の記憶されているピアグループデータを基に既存のピアグループのリストを表示するユーザインタフェースを作成するように適合されており、前記ユーザセレクタ手段は、前記リストからの単数または複数のピアグループのユーザ選択を受け入れるようになっており、前記ユーザインタフェースジェネレータは、前記選択されたピアグループの少なくとも１つについて前記処理済パラメータの少なくとも１つの多軸プロットを表示するユーザインタフェースを作成するように適合されている請求項１３２ないし１３５のいずれか１項に記載の会社の役員会データの処理システム。
【請求項１３７】
ユーザがピアグループの構成要素を修正することを可能にする比較グループ修正手段をさらに備える請求項１３２ないし１３６のいずれか１項に記載の会社の役員会データの処理システム。
【請求項１３８】
前記ピアグループ修正手段は、ユーザがあるピアグループの単数または複数の構成要素を別のピアグループにコピーすることを可能にするように適合されている請求項１３７に記載の会社の役員会データの処理システム。
【請求項１３９】
ユーザが特定の会社または役員会メンバーの名前を入力することによって前記役員会メンバーストア中の特定の役員会を検索することを可能にするようになっている検索手段をさらに備える請求項１３２ないし１３８のいずれか１項に記載の会社の役員会データの処理システム。
【請求項１４０】
前記検索手段は、ユーザが事前に定義されたリストから単数または複数のパラメータを選択することによって前記役員会メンバーストア中の特定の役員会を検索することを可能にするように適合されている請求項１３９に記載の会社の役員会データの処理システム。
【請求項１４１】
前記ユーザインタフェースジェネレータは、前記事前に定義されたピアグループのリストを表示するユーザインタフェースを作成するように適合されており、前記ユーザセレクタ手段は、前記リストからの少なくとも１つの前記事前に定義されたピアグループのユーザ選択を受け入れるようになっており、前記ユーザインタフェースジェネレータは、前記少なくとも１つの選択された事前に定義されたピアグループについて少なくとも１つの前記記憶されている事前に定義されたピアグループ関連パラメータの多軸プロットを表示するユーザインタフェースを作成するように適合されている請求項１３２ないし１４０のいずれか１項に記載の会社の役員会データの処理システム。
【請求項１４２】
前記記憶されている事前に定義されたピアグループ関連パラメータは、単数または複数のグループパラメータ総計、単数または複数のグループパラメータ平均値および単数または複数のグループパラメータ偏差値の少なくとも１つに関連する請求項１４１に記載の会社の役員会データの処理システム。
【請求項１４３】
会社の役員会データの処理方法であって、
複数の役員会について役員会メンバー関連パラメータを記憶すること、および
比較目的で単数または複数の役員会および／または役員会メンバーについて単数または複数の前記役員会メンバー関連パラメータの多軸プロットを表示するユーザインタフェースを作成すること、を含む、会社の役員会データの処理方法。
【請求項１４４】
複数の前記パラメータの単数または複数の総計、単数または複数の平均値および単数または複数の偏差値の少なくとも１つを基に前記多軸プロット上の少なくとも１つ軸のスケールを決定することをさらに含み、前記ユーザインタフェースは、前記多軸プロット上の少なくとも１つの軸を前記決定したスケールに等しいスケールを用いて表示するように作成される請求項１４３に記載の会社の役員会データの処理方法。
【請求項１４５】
前記パラメータは、前記役員会メンバーがグループに分類されるように記憶され、前記ユーザインタフェースは、単数または複数の前記グループの前記パラメータの単数または複数の総計、単数または複数の平均値または単数または複数の偏差値の少なくとも１つの多軸プロットを表示するように作成される請求項１４３または請求項１４４に記載の会社の役員会データの処理方法。
【請求項１４６】
前記グループは役員会を構成する請求項１４５に記載の会社の役員会データの処理方法。
【請求項１４７】
前記グループのパラメータを処理することであって、それによって、単数または複数のグループパラメータ総計、単数または複数のグループパラメータ平均値および単数または複数のグループパラメータ偏差値の少なくとも１つを求める、処理することをさらに含み、
前記ユーザインタフェースは、複数の前記パラメータおよび／または処理済パラメータを多軸プロット上に表示し、各軸を異なるパラメータタイプに対して示すように作成される請求項１４５または請求項１４６に記載の会社の役員会データの処理方法。
【請求項１４８】
前記プロセッサは、前記多軸プロット上の少なくとも１つの軸上に既に表示されている少なくとも１つのパラメータの、前記グループまたは複数の役員会および／または役員会メンバーの複数の前記記憶されているパラメータおよび／または前記処理済パラメータの平均値からの事前に求められた偏差レベルを基に前記少なくとも１つの軸のスケールが決定される請求項１４７に記載の会社の役員会データの処理方法。
【請求項１４９】
前記パラメータプロセッサは、少なくとも１つのパラメータ軸上に表示されている少なくとも１つのパラメータの、前記グループまたは複数の役員会および／または役員会メンバーに関連する複数の記憶されているパラメータおよび／または処理済パラメータの平均値からの−ｎの標準偏差の最小軸値および＋ｍの標準偏差の最大軸値を求めることによって前記少なくとも１つのパラメータ軸の前記スケールが決定され、ここでｎおよびｍは整数である請求項１４７または請求項１４８に記載の会社の役員会データの処理方法。
【請求項１５０】
前記複数の役員会および／または役員会メンバーは、所定の事前に定義された地域からの全ての前記役員会および／または役員会メンバーを含む請求項１４９に記載の会社の役員会データの処理方法。
【請求項１５１】
前記役員会メンバーストアは、少なくとも何人かの前記役員会メンバーのパラメータを、ピアグループとして指定された、ユーザが選択した、および／または事前に定義された役員会メンバーのグループとして記憶する請求項１４３ないし１５０のいずれか１項に記載の会社の役員会データの処理方法。
【請求項１５２】
ピアグループに含める少なくとも１つの役員会および／または少なくとも１人の役員会メンバーのユーザ選択を受け入れること、および
ピアグループの構成要素のパラメータを処理することであって、それによって、単数または複数のピアグループパラメータ総計、単数または複数のピアグループパラメータ平均値および単数または複数のピアグループパラメータ偏差値の少なくとも１つを求める、処理すること、をさらに含み、
前記ユーザインタフェースは、前記ピアグループに関連する単数または複数の前記処理済パラメータの多軸プロットを表示する前記ユーザインタフェースを作成する請求項１５１に記載の会社の役員会データの処理方法。
【請求項１５３】
前記役員会ピアグループの少なくとも１つと比較する単数または複数の役員会のユーザ選択が受け入れられ、前記ユーザインタフェースは、前記少なくとも１人の役員会のメンバーに関連する単数または複数のパラメータの多軸プロットを表示するように作成されて、前記または各役員会を分析対象とすることを可能にする請求項１５２に記載の会社の役員会データの処理方法。
【請求項１５４】
前記ユーザインタフェースは、前記または各選択された役員会の個々のメンバーに関連する前記パラメータの多軸プロットを表示するように作成される請求項１５２または請求項１５３に記載の会社の役員会データの処理方法。
【請求項１５５】
前記役員会メンバー関連ピアグループと比較する少なくとも１人の役員会メンバーのユーザ選択が受け入れられ、前記ユーザインタフェースは、前記少なくとも１人の役員会メンバーに関連する前記パラメータの多軸プロットを表示するように作成されて、前記または各役員会メンバーを分析対象とすることを可能にする請求項１５２に記載の会社の役員会データの処理方法。
【請求項１５６】
前記ユーザインタフェースは、前記役員会メンバーストア中の記憶されているピアグループデータを基に既存のピアグループのリストを表示するように作成され、なお該方法は、前記リストからの単数または複数のピアグループのユーザ選択を受け入れることを含み、前記ユーザインタフェースは、前記選択されたピアグループの少なくとも１つについて前記処理済パラメータの少なくとも１つの多軸プロットを表示するように作成される請求項１５２ないし１５５のいずれか１項に記載の会社の役員会データの処理方法。
【請求項１５７】
ピアグループの構成要素のユーザ修正を受け入れることさらに含む請求項１５２ないし１５６のいずれか１項に記載の会社の役員会データの処理方法。
【請求項１５８】
ユーザがあるピアグループの単数または複数の構成要素を別のピアグループにコピーする命令がユーザから受け入れられる請求項１５７に記載の会社の役員会データの処理方法。
【請求項１５９】
特定の会社または役員会メンバーの名前をユーザから受け入れることであって、それによって、前記役員会メンバーストア中の特定の役員会を検索する、受け入れることをさらに含む請求項１５２ないし１５８のいずれか１項に記載の会社の役員会データの処理方法。
【請求項１６０】
前記検索手段は、ユーザが選択した事前に定義されたリストからの単数または複数のパラメータが受け入れられて、前記役員会メンバーストア中の特定の役員会が検索される請求項１５９に記載の会社の役員会データの処理方法。
【請求項１６１】
前記ユーザインタフェースは、前記事前に定義されたピアグループのリストを表示するように作成され、前記リストからの少なくとも１つの前記事前に定義されたピアグループのユーザ選択が受け入れられ、前記ユーザインタフェースは、前記少なくとも１つの選択された事前に定義されたピアグループについて少なくとも１つの前記記憶されている事前に定義されたピアグループ関連パラメータの多軸プロットを表示するように作成される請求項１５２ないし１６０のいずれか１項に記載の会社の役員会データの処理方法。
【請求項１６２】
前記記憶されている事前に定義されたピアグループ関連パラメータは、単数または複数のグループパラメータ総計、単数または複数のグループパラメータ平均値および単数または複数のグループパラメータ偏差値の少なくとも１つに関連する請求項１６１に記載の会社の役員会データの処理方法。
【請求項１６３】
会社の役員会データの処理システムであって、プロセッサが実行可能な命令を記憶するプログラムメモリと、
前記プログラムメモリに記憶されている前記命令を読み取って実行するプロセッサと、を備え、
前記プログラムメモリに記憶されている前記命令は、請求項１４３ないし１６２のいずれか１項に記載の方法を実行する前記プロセッサを制御する命令を含む、会社の役員会データの処理システム。
【請求項１６４】
請求項１４３ないし１６２のいずれか１項に記載の方法を実行するコンピュータを制御する、コンピュータが読み取り可能な命令を搬送するキャリア媒体。
【請求項１６５】
会社の役員会データの処理システムであって、
役員会を構成する複数の役員会の役員会メンバーに関連するパラメータを記憶する役員会メンバーストアにアクセスするアクセス手段と、
複数の役員会について役員会メンバーに関連する前記パラメータを表示するユーザインタフェースを作成して、役員会同士の役員会メンバーレベルでの、および／または役員会の役員会メンバー同士の比較を可能にするユーザインタフェースジェネレータと、を備える、会社の役員会データの処理システム。
【請求項１６６】
前記ユーザインタフェースジェネレータは、役員会メンバーまたは役員会のグループに関連する前記パラメータの単数または複数の総計、平均値および偏差値の少なくとも１つを表示する前記ユーザインタフェースを作成して、少なくとも１つの役員会または少なくとも１人の役員会メンバーとの比較を可能にするように適合されている請求項１６５に記載の会社の役員会データの処理システム。
【請求項１６７】
会社の役員会データの処理方法であって、
役員会を構成する複数の役員会の役員会メンバーに関連するパラメータを記憶する役員会メンバーストアにアクセスすること、および
複数の役員会について役員会メンバーに関連する前記パラメータを表示するユーザインタフェースを作成することであって、それによって、役員会同士の役員会メンバーレベルでの、および／または役員会の役員会メンバー同士の比較を可能にする、作成すること、を含む、会社の役員会データの処理方法。
【請求項１６８】
前記ユーザインタフェースは、役員会メンバーまたは役員会のグループに関連する前記パラメータの単数または複数の総計、平均値および偏差値の少なくとも１つを表示するように作成されて、少なくとも１つの役員会または少なくとも１人の役員会メンバーとの比較を可能にする請求項１６７に記載の会社の役員会データの処理方法。
【請求項１６９】
会社の役員会データの処理システムであって、
プロセッサが実行可能な命令を記憶するプログラムメモリと、
前記プログラムメモリに記憶されている前記命令を読み取って実行するプロセッサと、を備え、
前記プログラムメモリに記憶されている前記命令は、請求項１６７または請求項１６８に記載の方法を実行する前記プロセッサを制御する命令を含む、会社の役員会データの処理システム。
【請求項１７０】
請求項１６７または請求項１６８に記載の方法を実行するコンピュータを制御する、コンピュータが読み取り可能な命令を搬送するキャリア媒体。
【請求項１７１】
会社の役員会データの処理システムであって、
少なくとも１人の役員会メンバーが、その役員会メンバーである会社において所有する株式の数を記憶するストアと、
前記役員会メンバーが前記役員会のメンバーである前記会社の現在の株価を決定する手段と、
前記株式の数および前記株価を処理して、前記役員会メンバーが保有する前記株式の価値を決定し、少なくとも１人の前記役員会メンバーの財産指数の値を求めるプロセッサであって、該求めることは、前記株価が１パーセント上昇した場合に前記役員会メンバーの前記会社に関連する財産の増加を含む、プロセッサと、
前記決定した財産指数の値の少なくとも１つを出力する出力手段と、を備える、会社の役員会データの処理システム。
【請求項１７２】
会社の役員会データの処理方法であって、
少なくとも１人の役員会メンバーが、その役員会メンバーである会社において所有する株式の数を記憶すること、
前記役員会メンバーが前記役員会のメンバーである前記会社の現在の株価を決定すること、
前記株式の数および前記株価を処理することであって、それによって、前記役員会メンバーが保有する前記株式の価値を決定する、処理すること、
少なくとも１人の前記役員会メンバーの財産指数を求めることであって、前記株価が１パーセント上昇した場合に前記役員会メンバーの前記会社に関連する財産の増加を含む、求めること、および
前記決定した財産指数の値の少なくとも１つを出力すること、を含む、会社の役員会データの処理方法。
【請求項１７３】
会社の役員会データの処理システムであって、
複数の役員会メンバーの履歴情報を記憶するストアであって、該履歴情報は、前記役員会メンバーが以前に役員会メンバーであった会社に関する情報およびタイミング情報を含む、ストアと、
会社の業績データを履歴データとともに、前記役員会メンバーが各会社に所属していた時期を示すグラフとして示すグラフィック表示を作成して、ユーザが前記会社の業績を、前記役員会メンバーが前記会社の役員会のメンバーであったかどうかと関連付けて理解することを可能にするグラフィック表示デバイスと、を備える、会社の役員会データの処理システム。
【請求項１７４】
創設された会社の役員会を分析するシステムであって、
複数の役員会メンバーに関連するパラメータを記憶するストアと、
少なくとも１つの創設された会社の役員会に含める少なくとも１人の役員会メンバーのユーザ選択を受け入れるユーザ選択手段と、
前記創設された会社の役員会の構成員について役員会パラメータを作成するパラメータプロセッサと、
前記役員会メンバーのパラメータおよび／または前記作成された役員会パラメータを出力して、前記創設された役員会を分析対象とすることを可能にする出力手段と、を備える、創設された会社の役員会を分析するシステム。
【請求項１７５】
創設された会社の役員会を分析する方法であって、
複数の役員会メンバーに関連するパラメータを記憶すること、
少なくとも１つの創設された会社の役員会に含める少なくとも１人の役員会メンバーのユーザ選択を受け入れること、
前記創設された会社の役員会の構成員について役員会パラメータを作成すること、および
前記会社メンバーのパラメータおよび／または前記作成された役員会パラメータを出力することであって、それによって、前記創設された役員会を分析対象とすることを可能にする、出力すること、を含む、創設された会社の役員会を分析する方法。
【請求項１７６】
創設された会社の役員会を分析するシステムであって、
プロセッサが実行可能な命令を記憶するプログラムメモリと、
前記プログラムメモリに記憶されている前記命令を読み取って実行するプロセッサと、を備え、
前記プログラムメモリに記憶されている前記命令は、請求項１７５に記載の方法を実行する前記プロセッサを制御する命令を含む、創設された会社の役員会を分析するシステム。
【請求項１７７】
請求項１７５に記載の方法を実行するコンピュータを制御する、コンピュータが読み取り可能な命令を搬送するキャリア媒体。
【請求項１７８】
役員会メンバーレベルの採用および分析ツールであって、
複数の役員会メンバーに関連するパラメータを記憶するストアと、
分析対象とする少なくとも１人の役員会メンバーのユーザ選択、および役員会メンバーの分析において比較対象として用いる少なくとも１人の他の役員会メンバーのユーザ選択を受け入れるユーザ選択手段と、
前記ユーザが選択した分析対象とする少なくとも１人の役員会メンバーおよび前記ユーザが選択した比較対象の少なくとも１人の役員会メンバーの前記パラメータを表示して、採用に関連した該２セットのパラメータの比較を可能にするようになっている表示ジェネレータと、を備える、役員会メンバーレベルの採用および分析ツール。
【請求項１７９】
前記役員会メンバーパラメータを処理して、複数の前記ユーザが選択した役員会メンバーについて単数または複数のパラメータ総計、単数または複数のパラメータ平均値および単数または複数のパラメータ偏差値の少なくとも１つを求めるプロセッサ
をさらに備え、前記表示ジェネレータは、前記処理済パラメータを表示するように適合されている請求項１７８に記載の役員会メンバーレベルの採用および分析ツール。
【請求項１８０】
役員会メンバーレベルの採用および分析方法であって、
複数の役員会メンバーに関連するパラメータを記憶すること、
分析対象とする少なくとも１人の役員会メンバーのユーザ選択、および役員会メンバーの分析において比較対象として用いる少なくとも１人の他の役員会メンバーのユーザ選択を受け入れること、および
前記ユーザが選択した分析対象とする少なくとも１人の役員会メンバーおよび前記ユーザが選択した比較対象の少なくとも１人の役員会メンバーの前記パラメータを表示することであって、それによって、採用に関連した該２セットのパラメータの比較を可能にする、表示すること、を含む、役員会メンバーレベルの採用および分析方法。
【請求項１８１】
役員会メンバーレベルの採用および分析システムであって、
プロセッサが実行可能な命令を記憶するプログラムメモリと、
前記プログラムメモリに記憶されている前記命令を読み取って実行するプロセッサと、を備え、
前記プログラムメモリに記憶されている前記命令は、前記プロセッサを制御する命令であって、
複数の役員会メンバーに関連するパラメータを記憶させ、
分析対象とする少なくとも１人の役員会メンバーのユーザ選択、および役員会メンバーの分析において比較対象として用いる少なくとも１人の他の役員会メンバーのユーザ選択を受け入れさせ、
前記ユーザが選択した分析対象とする少なくとも１人の役員会メンバーおよび前記ユーザが選択した比較対象の少なくとも１人の役員会メンバーの前記パラメータを表示させ、採用に関連した該２セットのパラメータの比較を可能にする命令を含む役員会メンバーレベルの採用および分析システム。
【請求項１８２】
会社の役員会データの処理システムであって、
役員会を構成する複数の役員会メンバーについて役員会メンバーの名前を記憶する役員会メンバーストアと、
前記役員会メンバー間の関連性を判断する関連性判断手段と、
前記役員会メンバーの名前および対応する該役員会メンバーの前記判断した関連性のリストの少なくとも１つを表示するユーザインタフェースを作成するユーザインタフェースジェネレータと、を備える、会社の役員会データの処理システム。
【請求項１８３】
前記関連性判断手段は、２人の役員会メンバーがともに同一の２つまたはそれ以上の独立した役員会を兼務している場合に該２人の役員会メンバー間に存在する関連性を判断するように適合されている請求項１８２に記載の会社の役員会データの処理システム。
【請求項１８４】
前記関連性判断手段は、１人の役員会メンバーが２つの役員会を同時に兼務している場合に該２つの役員会間に存在する関連性を判断するように適合されている請求項１８２に記載の会社の役員会データの処理システム。
【請求項１８５】
前記関連性判断手段は、２つまたはそれ以上の役員会およびまたは２人またはそれ以上の役員会メンバー間の間接的な関連性を複数の他の関連性により判断するように適合されており、
前記ユーザインタフェースジェネレータは、少なくとも１つの役員会および／または少なくとも１人の役員会メンバー、ならびに少なくとも１つの他の役員会および／または少なくとも１人の他の役員会メンバーに対する前記判断した関連性のネットワークのリストを表示するユーザインタフェースを作成するように適合されている請求項１８２ないし１８４のいずれか１項に記載の会社の役員会データの処理システム。
【請求項１８６】
前記ユーザインタフェースジェネレータは、前記記憶されている役員会メンバーデータを基に役員会メンバーおよび／または役員会のリストを表示するユーザインタフェースを作成するように適合されており、
なお、前記リストからの２つまたはそれ以上の役員会および／または２人またはそれ以上の役員会メンバーのユーザ選択を受け入れるユーザセレクタ手段をさらに備え、
前記ユーザインタフェースジェネレータは、前記役員会および／または役員会メンバーの前記名前、ならびに前記役員会および／または役員会メンバー間の前記判断した関連性のリストを表示するユーザインタフェースを作成するように適合されている請求項１８２ないし１８４のいずれか１項に記載の会社の役員会データの処理システム。
【請求項１８７】
前記ユーザインタフェースジェネレータは、前記記憶されている役員会メンバーデータを基に役員会メンバーおよび／または役員会のリストを表示するユーザインタフェースを作成するように適合されており、
なお、前記リストからの２つまたはそれ以上の役員会および／または２人またはそれ以上の役員会メンバーのユーザ選択を受け入れるユーザセレクタ手段をさらに備え、
前記ユーザインタフェースジェネレータは、前記役員会および／または役員会メンバーの前記名前、ならびに前記役員会および／または役員会メンバー間の前記判断した間接的な関連性のリストを表示するユーザインタフェースを作成するように適合されている請求項１８５に記載の会社の役員会データの処理システム。
【請求項１８８】
会社の役員会データの処理方法であって、
役員会を構成する複数の役員会メンバーについて役員会メンバーの名前を記憶すること、
前記役員会メンバー間の関連性を判断すること、および
前記役員会メンバーの名前および対応する該役員会メンバーの前記判断した関連性のリストの少なくとも１つを表示するユーザインタフェースを作成すること、を含む、会社の役員会データの処理方法。
【請求項１８９】
前記関連性を判断することは、２人の役員会メンバーがともに同一の２つまたはそれ以上の独立した役員会を兼務している場合に該２人の役員会メンバー間に存在する関連性を判断することを含む請求項１８８に記載の会社の役員会データの処理方法。
【請求項１９０】
前記関連性を判断することは、１人の役員会メンバーが２つの役員会を同時に兼務している場合に該２つの役員会間に存在する関連性を判断することを含む請求項１８８に記載の会社の役員会データの処理方法。
【請求項１９１】
２つまたはそれ以上の役員会および／または２人またはそれ以上の役員会メンバー間の間接的な関連性を複数の他の関連性により判断することをさらに含み、
前記ユーザインタフェースは、少なくとも１つの役員会および／または少なくとも１人の役員会メンバー、ならびに少なくとも１つの他の役員会および／または少なくとも１人の他の役員会メンバーに対する前記判断した関連性のネットワークのリストを表示する請求項１８８ないし１９０のいずれか１項に記載の会社の役員会データの処理方法。
【請求項１９２】
前記ユーザインタフェースは、前記記憶されている役員会メンバーデータを基に役員会メンバーおよび／または役員会のリストを表示し、
なお、前記リストからの２つまたはそれ以上の役員会および／または２人またはそれ以上の役員会メンバーのユーザ選択を受け入れることをさらに含み、
前記ユーザ選択に応答して、前記ユーザインタフェースは、前記選択された役員会および／または役員会メンバーの前記名前、ならびに前記役員会および／または役員会メンバー間の前記判断した関連性のリストを表示する請求項１８８ないし１９０のいずれか１項に記載の会社の役員会データの処理方法。
【請求項１９３】
前記ユーザインタフェースは、前記記憶されている役員会メンバーデータを基に役員会メンバーおよび／または役員会のリストを表示し、
なお、前記リストからの２つまたはそれ以上の役員会および／または２人またはそれ以上の役員会メンバーのユーザ選択を受け入れることをさらに含み、
前記ユーザ選択に応答して、前記ユーザインタフェースは、前記選択された役員会および／または役員会メンバーの前記名前、ならびに前記役員会および／または役員会メンバー間の前記判断した間接的な関連性のリストを表示する請求項１９１に記載の会社の役員会データの処理方法。
【請求項１９４】
会社の役員会データの処理システムであって、プロセッサが実行可能な命令を記憶するプログラムメモリと、
前記プログラムメモリに記憶されている前記命令を読み取って実行するプロセッサと、を備え、
前記プログラムメモリに記憶されている前記命令は、請求項１８２ないし１８７のいずれか１項に記載の方法を実行する前記プロセッサを制御する命令を含む、会社の役員会データの処理システム。
【請求項１９５】
請求項１８２ないし１８７のいずれか１項に記載の方法を実行するコンピュータを制御する、コンピュータが読み取り可能な命令を搬送するキャリア媒体。
【請求項１９６】
請求項１ないし１８、３９ないし４９、６３ないし６９、７９ないし９９、１２３ないし１４２、１６５、１７１、１７３、１７４、１７８、１７９または１８２ないし１８７のいずれか１項に記載のシステムを用いた資金管理方法。
【請求項１９７】
請求項１ないし１８、３９ないし４９、６３ないし６９、７９ないし９９、１２３ないし１４２、１６５、１７１、１７３、１７４、１７８、１７９、１８２ないし１８７のいずれか１項に記載のシステムを用いた役員会メンバーの採用方法。
【発明の詳細な説明】
【技術分野】
【０００１】
［発明の分野］
本発明は会社の役員会、ならびに当該役員会のメンバー個人に関連する広範なデータを処理し、提示するデータ処理システムおよび処理方法に関する。
【０００２】
［背景］
株式市場への投資には必然的に投資者のリスクが含まれ、エクイティ（equities）は上昇したり下落したりすることがあり、投資によるプラスの収益の保証は何もない。しかし、その不確実さは、賢明に投資することによって、またより重要には知識がある銘柄にだけ投資することによって相当軽減することができる。出走場の知識がなく、そのリストだけから推測した場合よりも、馬をその体型によって予想したほうが勝つチャンスが大きくなる。エクイティ市場においても同様であり、堅実な投資者は確実な情報に基づいてのみ株を売買する。
【０００３】
世界の株式市場にわたるこのような情報が必要であることにより、世界規模の投資銀行と多数の財務顧問が存在するようになった。ファンドマネージャーまたは個人投資家がその会社の経済状態、過去の歴史、将来の展望、製品、スタッフ等に関する何らかの形のアドバイスなくして、株式に関する情報を得た上での決断を下すことはほぼ不可能である。このアドバイスは求められる情報によって多くの形式をとることができる。例えば会社に焦点を当てた多数の経済データソース、価格対収益比、損益計算書等のような情報、株式の現在の価値と可能性に関して指針を与えることができるよく知られた財政統計がある。
【０００４】
しかし、まさにその性質によってより主観的であるような他の形式の情報があり、大手の投資会社の多くには、真実を語るために財務表の背後を見抜こうと試みるアナリストチームがいる。このような情報の問題点は確実な経済情報のようには信頼できず、対面会合、記者会見、噂などから出る場合も多い。ファンドマネージャーまたは投資家が全ての年次総会に参席し、全ての年末報告書に目を通し、全ての取締役会にインタビューすることは不可能であり、したがって投資者に代わってそれを行おうとするのはアナリストの仕事であり、投資者に任せられているのはアナリストの報告書を読み、探している情報を見つけ出そうとすることである。特に２人の別のアナリストが任意の特定の会社の潜在能力に関して正反対の意見を持っていることは稀ではないので、このことは必然的に提供された情報とアドバイスに従うことのリスクを増す。残念なことには、代替策が極めて少なく、アナリストの報告書を利用することは一助にはなるものの、それによって市場のあらゆる領域を比較することはほとんどできない。何故ならば、アナリストは専門化された分野を持っていることが多く、したがってこの情報分野における広範な株式の比較に基づくデータを見いだすことは困難であり、ユーザにとっての使いやすさに欠けている場合が多いからである。
【０００５】
したがって本発明の目的は、情報の提供を支援するユーザにとって使いやすいツールを提供することにある。
【０００６】
［発明の概要］
本発明の第１の態様は、役員会のメンバー同士、または役員会同士を役員会メンバーレベルで比較できるように、会社の役員会メンバーに関する情報を提供するユーザインタフェースプラットフォームを提供する、会社の役員会のデータを処理するシステムおよび処理方法を提供する。複数の役員会の役員会メンバーに関連するパラメータが記憶される。役員会メンバーが一員である役員会は記憶されたパラメータ内に示される。役員会メンバー同士および／または役員会同士を役員会メンバーレベルで比較できるように、複数の役員会の役員会メンバーおよび／または個々の役員会メンバーに関連するパラメータの表示を含むユーザインタフェースが作成される。
【０００７】
このように、本発明の上記の態様は、アナリストが役員会メンバーパラメータの精度（granularity）レベルで役員会に関連するパラメータを精査するために用いることができるツールを提供する。
【０００８】
本発明の上記の態様の１実施形態では、１つの、または多数のパラメータ総計、パラメータ平均値、およびパラメータ偏差値を含むことができる処理パラメータを求めるために、役員会、またはその他の事前に決められたグループのような役員会メンバーのグループについてのパラメータが処理される。このようにしてユーザインタフェースは役員会メンバーレベルで役員会と比較し、または個々の役員会メンバーと比較するために上記のような処理パラメータを表示することができる。
【０００９】
本発明の上記の態様の１実施形態では、グループは役員会のグループから構成されることができ、この場合は、処理パラメータは多数の役員会について処理されたパラメータを含み、したがって役員会の総計、平均値、または偏差値を表す。それによって役員会全体または役員会の個々のメンバーを多数の役員会と比較することが可能になる。
【００１０】
本発明の上記の態様の代替実施形態では、グループは役員会メンバーのグループから構成されている。役員会メンバーのグループは単一の役員会の役員会メンバー、または多数の役員会にわたる役員会メンバーを含むことができる。それによって個々の役員会メンバーを多数の役員会からの役員会メンバーのピアグループと比較することが可能になる。
【００１１】
本発明の第２の態様は、複数の役員会の役員会メンバーに関連するパラメータが記憶される、会社の役員会データを処理するシステムおよび処理方法を提供するものである。このシステムは、ピアグループに含める少なくとも１つの役員会および／または少なくとも１人の役員会メンバーのユーザ選択を受け入れる。ピアグループの構成要素についてのパラメータが処理されて、ピアグループについての処理済パラメータが求められ、これらの処理済パラメータが出力される。好適には処理によって単数または複数のピアグループのパラメータ総計、単数または複数のピアグループ平均値、および単数または複数のピアグループ偏差値が求められる。
【００１２】
本発明のこの態様によって、必ずしも同じ役員会にいる必要はない多数の役員会メンバーから構成されたピアグループをユーザが選択し、かつ形成できるようにする有用なツールが提供される。本発明のこの態様によってさらに、役員会のピアグループに含められる役員会を選択できる。役員会のパラメータが処理されて役員会のピアグループの処理パラメータが求められる。このように比較による分析が可能になるように、役員会と比較するために役員会のピアグループを利用できる。
【００１３】
本発明のこの態様の１実施形態では、ユーザが選択した少なくとも１つのピアグループについてのピアグループデータが記憶される。ユーザインタフェースは、ユーザが単数または複数の既存のピアグループを選択できるように、既存のピアグループのリストを表示することができる。その後、上記または各選択されたピアグループについての処理パラメータが例えば、比較目的のために表示されるように出力されることができる。
【００１４】
本発明のこの態様の１実施形態では、ピアグループの構成要素を修正することができる。この修正は、例えば役員会メンバーまたは役員会のようなピアグループの構成要素を１つのピアグループから別のピアグループへと移すことができるような形式をとることができる。
【００１５】
本発明のこの態様の別の実施形態では、役員会および／または役員会メンバーの事前に定義されたグループが事前に定義されたピアグループとして、ピアグループに関連するパラメータとともに記憶される。ユーザインタフェースは、比較目的のために出力される１つの、または複数の事前に定義されたピアグループをユーザが選択できるように、事前に定義されたピアグループのリストを表示することができる。
【００１６】
本発明の別の態様は、ピアグループと、ピアグループに関連する事前に定義されたパラメータとから構成された役員会および／または役員会メンバーの事前に定義されたグループが記憶される会社の役員会データ処理システムを提供するものである。このシステムは、リストから単数または複数のピアグループをユーザが選択できるように、ピアグループのリストを出力するようになっている。選択の結果として、上記または各選択されたピアグループについての少なくとも１つの事前に定義されたパラメータが出力される。このパラメータは表示され、比較目的に利用されることができる。
【００１７】
本発明のこの態様では、役員会および／または役員会メンバーのグループについてのパラメータを含むことができるピアグループが事前に定義される。しかし、１実施形態では、ユーザは構成要素、すなわち役員会または役員会メンバーを追加し、または構成要素を除去することによって、事前に定義されたピアグループを修正することができる。さらに、構成要素はグループからグループへと移動させることができる。このように、この実施形態は役員会メンバー、および役員会をピアグループと比較するためのフレキシブルなツールを提供する。
【００１８】
１実施形態ではピアグループ用の事前に定義されたパラメータは処理パラメータを含んでいる。処理パラメータはピアグループパラメータ総計、ピアグループパラメータ平均値、およびピアグループパラメータ偏差値を含むことができる。
【００１９】
本発明の別の態様は、複数の役員会メンバーについての役員会メンバー関連パラメータが記憶される会社の役員会データを処理するシステムおよび処理方法を提供する。事前に決められたパラメータからの上記役員会メンバー関連パラメータの偏差値が求められ、これは求めた偏差値にしたがって強調表示される少なくとも１つの役員会メンバー関連パラメータのディスプレイを作成するためにユーザインタフェースによって利用される。
【００２０】
本発明のこの実施形態は、事前に決められたパラメータからの役員会メンバーに関連するパラメータの偏差値が、この偏差値にしたがって上記パラメータを強調表示することによって明確な形で表示されるシステムを提供する。それによってこれらの偏差値およびこれらの偏差値内のパターンを容易に区別できる。
【００２１】
本発明の１実施形態では、求めた偏差値の相対値に関連する複数の色の１つで各々の役員会メンバー関連パラメータを強調表示するためのユーザインタフェースが作成される。
【００２２】
本発明のこの態様の１実施形態では、事前に決められたパラメータは、ピアグループを構成する役員会メンバーのグループに関連する。この実施形態では、事前に決められたパラメータはピアグループのメンバーのパラメータの総計、平均値、および／または偏差値に関連することができる。
【００２３】
本発明のこの態様の１実施形態では、ユーザインタフェースは複数のセルからなるデータ表を作成する。各々のセルは役員会メンバー関連パラメータまたは事前に決められたパラメータを含んでいる。役員会メンバー関連パラメータを含むセルは求めた偏差値に基づいて強調表示される。好適な実施形態では、これらのセルは複数の色の１つで強調表示され、色は求めた偏差値の相対値に関連するものである。
【００２４】
本発明のこの態様の別の側面では、役員会メンバー関連パラメータが複数の役員会について記憶される会社の役員会データ処理システムおよび処理方法が提供される。ユーザインタフェースは単数または複数の役員会および／または役員会メンバーについて単数または複数の役員会メンバー関連パラメータの多軸プロットを作成して、これらのパラメータを比較できるようにする。このようにして、本発明のこの態様は会社の役員会メンバーレベルの精度で会社の役員会データを視覚的に表示する、グラフィカルユーザインタフェースツールを提供する。
【００２５】
本発明のこの態様の１実施形態では、役員会メンバーはグループに区分可能であり、ユーザインタフェースは役員会メンバーのグループに関連するパラメータの多軸プロットの表示を作成することができる。１実施形態では、このプロットを役員会、または役員会の個々のメンバーに関連するパラメータをグループと対照して作図できるように、比較目的で利用することができる。
【００２６】
本発明の１実施形態では、多軸プロットの軸は複数の役員会メンバーについての複数のパラメータに基づいてスケーリングすることができる。これは複数の役員会メンバーについてのパラメータの総計、平均値、または偏差値を含むことができる。
【００２７】
本発明のさらなる態様は、会社の役員会に属する少なくとも１人の役員会メンバーが所有する株式数が記憶される会社の役員会データ処理システムを提供する。特定の役員会メンバーが役員会のメンバーである会社の現在の株価が決定され、株式数とともにこれを利用して、役員会メンバーが保有している株式の価値が判定され、役員会メンバーの財産指数（wealth index）が判定される。財産指数には株価が一定量、例えば１％上昇した場合に会社に関連する財産の増加が含まれる。
【００２８】
本発明のこの態様は、会社の業績を高めるための役員会メンバーの財産に関連するモーティベーションの指標を与える。役員会メンバーが多数の株式を保有しているならば、彼らは会社の業績が向上し、株価が上昇することに個人的な関心を持っているのである。
【００２９】
本発明の別の態様は、創設された会社の役員会を分析するシステムを提供する。複数の役員会メンバーに関連するパラメータが記憶される。ユーザは少なくとも１つの創設された会社の役員会に含める少なくとも１人の役員会メンバーを選択することができる。創設された会社の役員会の構成要素の役員会パラメータが作成される。役員会メンバーパラメータおよび／または作成された役員会パラメータは、創設された役員会を分析対象とすることを可能にするように出力されることができる。
【００３０】
このように、本発明のこの態様はシステムのユーザが、目下のところ他の役員会のメンバーである多数の役員会メンバーを含む「仮想」役員会を創設することができる手段を提供する。すると、創設した会社の役員会の役員会メンバーに関連するパラメータを分析することができる。このように、本発明のこの態様は新設の会社のために会社の役員会を組織し、または既存の会社の役員会の役員会メンバーを交代させるのに適した役員会メンバーをユーザが特定できるようにするツールとして利用できる。
【００３１】
本発明のさらなる態様は、複数の役員会メンバーに関連するパラメータが記憶される、役員会メンバーレベルの採用、および分析のためのツールおよび方法を提供する。ユーザは分析対象になる少なくとも１人の役員会メンバーを選択し、かつ役員会メンバーの分析で比較対象として利用される少なくとも１人の他の役員会メンバーを選択することができる。ユーザインタフェースは分析対象の選択された役員会メンバーのパラメータと、選択された比較対象の役員会メンバーのパラメータとの表示を作成して、２セットのパラメータの採用関連の比較を可能にする。
【００３２】
本発明の別の態様は、会社の業績と、役員会メンバーの経歴をタイムベースで示すためにグラフィック表示が作成される会社の役員会データ処理システムおよび処理方法を提供する。本発明のこの態様によって、ユーザは会社の業績に及ぼす役員会メンバーの影響を特定することができる。
【００３３】
これまで本発明を多数の別個の態様に関連して説明してきたが、本発明に基づいて、本発明の上記のどの態様も本発明のいずれかの他の態様と組合わせて利用できる。
【００３４】
本発明は会社の財政分析および管理に利用できる。例えば、本発明は、ファンドマネージャーが会社の役員会メンバーパラメータを分析することによって投資の金融資産を管理するために利用できる。データはディスプレイまたはプリンタのようないずれかの適宜の出力手段によって提示することができる。出力は遠隔地で提示（例えば表示）を行うためネットワークを介して出力されることもできる。本発明は、独立形のシステム、またはサーバーがクライアントのユーザからの要求を受けて、クライアントによってユーザに提示されるデータを出力するネットワークシステムに利用できる。
【００３５】
本発明の全ての態様は専用のハードウェア、専用のハードウェアと適宜にプログラミングされたハードウェアとの組合わせ、またはプログラミングされた汎用コンピュータで実施することができる。このように、本発明はコンピュータを制御して本方法を実施するためのコンピュータが読み取り可能な命令を含んでいる。コンピュータが読み取り可能な命令は、例えば電気、光学、マイクロ波、音響、または無線周波数の信号（例えばインターネットのようなネットワークを経てコンピュータが読み取り可能な命令を搬送する（搬送波）信号）といった一時的媒体、またはフロッピーディスク、ハードディスク、ＣＤ−ＲＯＭ、またはソリッドステートメモリデバイスのような記憶媒体のようないずれかの適宜の搬送媒体を介して汎用コンピュータに送ることが可能である。
【００３６】
次に添付図面を参照して本発明の実施形態を説明する。
【００３７】
［好適な実施形態の説明］
〔総論〕
世界の株式市場に上場されている会社に関する情報を提供するシステムは多数ある。しかし、これらの会社の役員会の実際のメンバーに焦点を当てた分析ツールの市場にはギャップが存在する。このような情報を見いだすことは現在のところ困難であり、より重要な点は分析が困難であり、信頼性がない場合が多いことである。本発明の実施形態のシステムによって、上記のような上場された会社を実際に経営している人々を把握し、分析することが可能になり、したがって、成功の可能性を測る上で極めて重要な別の側面、またはそうではない場合は、これまでは把握することが極めて困難であったような会社の概観を得る土台が提供される。
【００３８】
本発明の実施形態によって提供されるシステムによって、ユーザは役員会全体を選択し、その役員会の各メンバーの資質を分析し、比較することが可能になる。さらに、ユーザによる単数または複数の他の役員会の選択が可能であり、対応するデータが同時に表示されて、選択された役員会を互いに比較することが可能になり、したがって、ある役員会と他の役員会との相対的なメリットを測るために利用できる統計が提供される。このシステムは、従来は利用できなかった、また株式市場に上場された会社に投資する人々に大きな利益となるユーザ対話形の分析の土台を提供するものである。
【００３９】
しかし、このようなツールの有用性は金融市場に限定されるものではない。単数または複数の取締役レベルの個人のスキル、経験、および背後の経歴を、例えば採用目的のために比較したい場合も、このツールがそれらの分析に極めて有効であることが分かるであろう。このシステムによってユーザは、個人を選択し、彼の役員会レベルでの全ての役職に関するデータを把握することができ、さらに同時に表示され、分析に利用される単数または複数の他の個人を選択する機会が与えられる。
【００４０】
〔ハードウェア〕
本発明の好適な実施形態は図１に示されており、データレポジトリシステム１、データベースシステム２、３、４、５、データプロセッサ６、ウェブサーバーシステム７、８、９、およびユーザのコンピュータ１１から構成されたアーキテクチャ構造を備えている。
【００４１】
データレポジトリシステム１は中央データ入力および管理領域１００に位置している。これは統一データ入力ポイントを含み、全ての生データをシステムに入力するためのツールである。データレポジトリシステム１はシステム内のデータのマスタデータべースとして機能し、２つの方法、すなわち手動データ入力、または自動データ入力の一方を介してデータを受ける。
【００４２】
手動データ入力システムは、中央データ入力および管理領域１００にベースを置くユーザインタフェースを有するコンピュータシステムを備えている。このユーザインタフェースによって新規データ、生データのパラメータの手動的な入力、ならびにある種の手動分析の入力が可能である。これは２つのインタフェースを含んでおり、その１つは取締役のプロフィールに関連するデータを入力するためのものであり、他方は役員会のプロフィールに関連するデータを入力するためのものである。生データには後述する取締役の給与のような簡単な数値が含まれている。手動分析のデータ入力には、例えば図３３に示したような役員会からの最高経営責任者の離脱、または新会社の株式の発行のような、表示されている期間中の重要な企業活動を表示するために手動的に修正された会社の時系列の株価グラフのようなデータが含まれている。
【００４３】
自動データ入力システムはＦＴ、ＡＦＸ、およびＨｅｍｓｃｏｔｔのような多数の金融データプロバイダへのオンライン伝送を含んでいる。このデータは周期的に、本発明の好適な実施形態では毎日データストアにダウンロードされ、そこでマスタデータベースへと定着される前に手動および自動手段の双方によってチェックされる。
【００４４】
手動および自動データ入力システムを介して入力される生データパラメータは役員会メンバーに関連するパラメータと役員会に関連するパラメータとから構成されており、下記を含んでいる。
【００４５】
給与
ボーナス
年金拠出金
その他の報酬
役職
授与された選択売買権（オプション）の数
株価
オプション行使価格
オプション満了時間
配当率
年次初頭の取締役数
年次末の取締役数
授与されたエクイティ
授与されたＬＴＩＰ拠出金
会社での取締役と非取締役の数
取締役の年齢
取締役の会社在籍期間
取締役の役員会在籍期間
役員会の定年方針
取締役の定年までの期間
氏名
役職
取締役の直接報酬
取締役の性別
取締役の国籍
取締役の過去の雇用状況
取締役の資格
取締役が兼務する社外取締役の役職（Director's Shared external Directorship）
会社の総収入
ＥＢＩＴＤＡ−金利税金償却前利益
営業利益
会社の純収入
会社の固定資産
会社の流動負債
会社の長期負債
会社の長期債権者
会社の総資産
会社の固定資産
会社の流動資産
会社の総負債
会社のＰＥ率（株価収益率）
会社の監査役
会社の財務顧問
会社の株式仲買人
会社の財務ＰＲ
会社の弁護士
【００４６】
マスタデータベースとして機能するデータレポジトリシステム１を含む中央データ入力および管理領域１００は専用リンクを介して異なる場所に位置するスレーブデータベースシステム２００に接続される。データベースシステム２００は公共的にアクセス可能なデータをマスタデータベース内のデータの鏡像として提供する。データベースシステム２００は２つのシステム３００と５００から構成されており、その各々がマスタデータベースに対するスレーブとして機能するデータベース２および３に接続されたデータベースプロセッサ４および５を備えている。一方のシステムが故障した場合に冗長性を与えるために２つのデータベースシステムが存在するのである。データレポジトリシステム１によってシステムに入力されたデータは２つのデータベースプロセッサ４および５にロードされ、これらは生データをシステムに有用な形式に変換するために、一連の分析的計算、例えば複素変数、またはデータセットの平均値および偏差値の計算を行う。次に、２つのデータベース２および３には事前に決められた複数の計算されたパラメータ、および生データが入力され、記憶される。このようにして、マスタデータベースはオフラインに保たれ、データのこのようなミラーリングは規則的に、例えば利用度が低い夜間に毎日行われる。このシステムによってマスタデータベースは中央データ入力および管理領域で継続的に更新されることができる。
【００４７】
２つのデータベースプロセッサ４および５はさらにデータプロセッサ６に接続されている。データプロセッサ６はユーザ端末によって要求された計算を行うために利用される。例えばこれは後述するピアグループパラメータを計算する。これらのパラメータはデータベース２および３に記憶され、ユーザ特有のパラメータである。このように、ピアグループデータのようなユーザ特有のパラメータが作成され、データベース２および３に記憶される。データベースプロセッサ４および５はデータベース２および３からデータをダウンロードし、データをデータプロセッサ６に転送する。
【００４８】
データプロセッサ６は２つのウェブサーバー７および８と、ウェブページデータプロセッサとを備えた第３のシステム５００に接続されている。このシステム５００はシステム２００内のデータにアクセスする方法、すなわちウェブインタフェースを提供する。安全のために接続はファイアウォールシステムを経て行われる。この場合も２つのウェブサーバーの存在はシステムに冗長性が必要であることに基づいている。ウェブサーバー７および８にデータを供給するアプリケーションサーバーとして機能するデータプロセッサ６はデータを分別して、システムのユーザ端末にとって利用し易い形式へと処理し、そのデータをウェブサーバー７および８に通信する。
【００４９】
ウェブサーバー７および８は双方ともウェブページデータストア９に接続されている。ウェブサーバー７および８はウェブページデータストア９と通信することによって、データプロセッサ６から受けたデータに基づいて、クライアントのユーザインタフェースに通信されるウェブページを作成する。
【００５０】
ウェブサーバー７および８は例えばインターネットのようなＩＰネットワーク１０に接続される。ユーザのコンピュータ１１上のユーザウェブブラウザ１２も上記ＩＰネットワーク１０に接続される。ユーザのウェブブラウザ１２によって要求されると、ウェブサーバー７および８は作成した上記ウェブページをＩＰネットワーク１０を経てユーザのウェブブラウザ１２に伝送する。ウェブサーバー７および８はまた、クライアントのユーザインタフェースを制御し、かつユーザのウェブブラウザ１２上に多数のウェブページを作成するために、ジャバスクリプトおよびジャバアプレットをも伝送することができる。このように、ユーザインタフェースはサーバー側で作成されることも、クライアント側で作成されることもでき、またはその２つの複合も可能である。
【００５１】
次にユーザのウェブブラウザ１２がユーザのコンピュータ１１上にユーザ対話型ディスプレイの形式で上記ウェブページを表示する。ユーザのウェブブラウザ１２はシステムを全体を通した情報のバックアップの要求を通信することもできる。これには例えば、ユーザがそのブラウザ上で設定した新規のユーザ選択ピアグループに基づいて、新規の処理済パラメータに対する要求を含めてもよい。このシナリオでは、要求はＩＰネットワーク１０、およびウェブサーバー７または８の一方を介してデータプロセッサ６に返送される。データプロセッサは要求を処理し、初期パラメータが前述のように伝送されたのと同じ方法でユーザのコンピュータに新たな処理済パラメータを返送する。このようにして、データプロセッサ６は例えばピアグループのようなユーザ特有のパラメータを作成し、これらはユーザがデータベース２および３内のデータにアクセスした場合に個人化レベルに備えるために、ユーザＩＤとともにデータベース２および３に記憶される。
【００５２】
〔ユーザインタフェースの記述〕
本発明の実施形態では、ユーザのウェブブラウザ上に表示されたユーザインタフェースは図２に示すように次の２つの主要セクションに分割される。すなわち、一方は単数または複数の役員会に関する情報を供給し、他の役員会とこれらの役員会との比較分析を行う。他方は、取締役レベルで同じ機能をもたらし、単数または複数の個々の取締役を他の取締役と比較できるようにする。いずれの場合も、システムは表形式および多数のグラフィック表示を含む多様な媒体を経て、いずれかの役員会および／または取締役についての多数のパラメータを表示することができる。
【００５３】
〔スクリーンによって記述されるデータフィールド〕
図２はシステムの視覚的なユーザインタフェース情報ページの主要構造を示している。これらのページは階層構造に編成されており、各ブランチはその下に更に詳細なレベルを含んでいる。前述したように、ユーザは先ず役員会関連セクションか、取締役関連セクションを選択しなければならない。この構造は図２に明解に示されており、役員会関連ページは左側のブランチにあり、取締役関連ページは右側のブランチにある。これらの２つのセクションのいずれでもユーザは主な主題の見出しリストから選択できる。
概要
関連性（association）
報酬
特徴
プロフィール
【００５４】
これらのオプションはそれぞれ、それらの主題に関するトップレベルのデータを表示する。これらの主題の幾つかには次第に詳細になるさらなるデータ層、および／または関連する複数のスクリーンでの異なるグラフィック表示方法があり、ここで先ず役員会関連ブランチを検討し、次に取締役関連ブランチを検討することで各々のデータ層についてより詳細に説明する。
【００５５】
〔役員会概要〕
図９に示すように、役員会概要には２つのテーマがある。第１に、役員会メンバーの概観が示され、続いてこれらのメンバーに関連する基本情報が表示される。
2004538553.tif 000003
【００５６】
役員会概要の第２のテーマは社内の主要な株主リストであり、その名前および持ち株の額面の表示がなされる。
【００５７】
〔役員会関連性〕
役員会関連性セクションには図３に示すように２つの下位レベルがあり、その名前は図１０に示す「単独対複数の（Single and Multi）関連性」と、「複数の（Multi）関連性」である。これらの２つのページには役員会の取締役の他社の役員会に対する関連性のリストが示される。「単独の（Single）関連性」とは特定の会社の役員会の取締役が他社の取締役をも兼務した場合であり、後者の会社と何らかの関連性がある当該会社からの唯一の人物である。「複数の関連性」とは１つの特定の役員会からの２人、またはそれ以上の取締役が別の特定の役員会との関連性を有する場合、すなわち２人またはそれ以上の取締役が現在、その他社の役員会に共に勤務しているか、または少なくとも１人の取締役が、少なくとも別の取締役もその役員会に勤務していたのと同じ時点で別の役員会に勤務しており、それらのうちの少なくとも１人が現在、上記の別の役員会に在籍している場合である。これらの２つの特徴は図１０に見ることができ、「単独の関連性」の例は対象会社であるNokia OJYの役員会の取締役であり、現在はWartsila OYJ ABPの役員会の取締役でもあるGeorgh Ehrnrooth（最下の行）であり、また「複数の関連性」の例は双方とも対象会社であるNokia OJYの役員会に所属し、現在は双方ともSampo OYJの役員会にも属しているGeorg EhrnroothおよびOlli-Pekka Kallasvuo（下から５行目）である。
【００５８】
〔役員会報酬〕
役員会報酬のセクションは５つの主要セクションに区分することができる。
報酬の概要
直接報酬−現金払い年俸
エクイティリンク報酬−エクイティリンク年俸
エクイティリンク財産−受け取ったエクイティリンク総給付金
報酬率
【００５９】
この階層構造は図４に見ることができる。そこで次にこれらのセクションを順番に説明する。
【００６０】
図４に示すように〔報酬の概要〕は各々が異なる態様で概要の情報を表示している別個の４ページからなっている。図１１に示す報酬概要表は以下のパラメータを表示している。
2004538553.tif 000004
【００６１】
図１１ではさらに、表内のセルが異なる複数の色で強調表示されていることが分かり、この特徴は表内のデータのダイバーシティを示すものであり、後に詳述する。
【００６２】
図１２に示されている報酬概要バブルチャートは、報酬概要表から３つの変数、すなわち総直接報酬、エクイティリンク総報酬、およびエクイティリンク総財産を同じグラフ上にプロットして、データを簡単かつ迅速に分析する方法をもたらすチャートである。グラフ上のｘ軸は直接報酬値をプロットし、ｙ軸は役員会の個々の取締役ごとのエクイティリンク総報酬をプロットしている。次に各データポイントは円形に拡張され、各々の円の直径は各取締役のエクイティリンク総財産の金額に比例している。円は例えば業務執行取締役、非業務執行取締役、平均値のような異なる種類のデータ相互の違いを示すために色分けされている。図１２にはさらに、後述するような様々な平均値および「ピアグループ」平均値がプロットされていることも分かる。
【００６３】
直接報酬およびエクイティ報酬のバーチャートは、各々の取締役がｘ軸に沿って配され、特定の会計期間ごとのそれぞれの総直接報酬、およびエクイティリンク総報酬の数値がバーとして示され、そのサイズは（例えば£０００ポンドに）スケーリングされたｙ軸と相関している標準的なバーチャートである。前述の取締役およびピアグループの平均値を示す線もプロット上に引かれている。
【００６４】
エクイティ総財産チャートは、ｘ軸に沿って各取締役を示す別のバーチャートであり、バーはｙ軸に対して上方に延びていて、各取締役のエクイティ総財産の相対値を示している。この場合も平均値も示されている。
【００６５】
〔直接報酬〕ページは、特定の会計期間について役員会報酬概要に記載されている総直接報酬の金額（figures）の内訳を示している。表示は表の形式であり、そのフォーマットは図１１の報酬概要のものと同一である。表示されているパラメータは下記のとおりである。
役員名                  役員会の取締役全員の氏名
役職                    会社で取締役が占める地位
給与                    基本年俸
ボーナス                給与に加えた賞与
年金                    従業員の年金計画への雇用者の拠出金
その他                  配置転換および付加給付のようなその他の特別給付
総直接報酬              給与、ボーナス、年金、およびその他の収入の総計
【００６６】
〔エクイティリンク報酬〕ページは特定の会計期間について役員会報酬概要に記載されているエクイティリンク総報酬の金額の内訳を示している。表示は表の形式であり、そのフォーマットは図１１の報酬概要のものと同一である。表示されているパラメータは下記のとおりである。
2004538553.tif 000005
【００６７】
〔報酬率〕ページは前述の幾つかの報酬パラメータの一連の比率である。図１３に示したような表の形式で表示されている。表示されている比率は下記のとおりである。
2004538553.tif 000006
【００６８】
〔役員会特徴〕
役員会特徴セクションは５つの主要セクションに細分化できる。
役職
ネットワーク／経歴
経験
変更
ダイバーシティ
図５に示す通りである。そこで次にこれらのセクションを説明する。
【００６９】
〔役員会特徴「役職」〕ページは、各個の取締役が会社内で担っている役職に関連するパラメータの内訳を示している。このページは図２５に示したものと同じ表形式で表示される（図２５は取締役特徴の役職ページであるが、フォーマットは全く同様である）。この役職に表示されるパラメータは以下の通りである。
2004538553.tif 000007
【００７０】
〔役員会特徴「ネットワーク／経歴」〕ページは取締役の役員会レベルの現在の関与、役員会レベルの関与の勤務履歴、およびいくつかの基本的な個人細目の内訳、およびそれに関連するパラメータを示している。このページは図１４に示されたような表形式で表示されている。このネットワーク／経歴ページに表示されているパラメータは以下の通りである。
2004538553.tif 000008
【００７１】
〔役員会特徴「経験」〕セクションは表とレーダーチャートである図５に示すように、異なる２つの形式で同じ情報を提示する２ページからなっている。これらのページは他のページからの前述のパラメータの幾つかを混合することによって、役員会メンバーの経験の内訳とそれに関連するパラメータを提示する。これらのページは先ず図２６に示したものと同じ表の形式で表示され、かつ図２７に示したものと同じグラフィック形式で表示される（図２６および図２７は取締役特徴の経験のページであるが、フォーマットは全く同様である）。表のページに表示されるパラメータは以下の通りである。
2004538553.tif 000009
【００７２】
役員会特徴の経験のレーダーチャートは、１つの視覚的なチャート上の経験表のページに表示されるパラメータを表示する多軸チャートである。レーダーチャートは後に詳述する。
【００７３】
〔役員会特徴「変更」〕セクションも表およびレーダーチャートである図５に示すように、異なる２つの形式で同じ情報を提示する２ページからなっている。これらのページは他のページからの前述のパラメータの幾つかを混合し、かつそれらから幾つかの新たなパラメータを誘導することによって、役員会の安定性の内訳とそれに関連するパラメータを提示する。これらのページは先ず図１５に示したものと同じ表の形式で表示され、かつ図２７に示したものと同じグラフ形式で表示される（図２７は取締役特徴の経験のページであるが、フォーマットは全く同様である）。表のページに表示されるパラメータは以下の通りである。
2004538553.tif 000010
【００７４】
先のセクションのレーダーチャートの場合と同様に、変更レーダーチャートは１つの視覚的チャート上の変更表のページに表示されたパラメータを表示する多軸チャートである。これらのチャートについては後にさらに詳述する。
【００７５】
〔役員会特徴「ダイバーシティ」〕セクションも、図５に示すように異なる２つの形式で同じ情報を提示する２ページ、すなわち表およびレーダーチャートからなっている。これらのページは他のページからの前述のパラメータの幾つかのダイバーシティを表示することによって、役員会のダイバーシティの内訳とそれに関するパラメータを提示する。これらのページは第１に、図１６に示すように同じ表の形式で表示され、かつ第２に、図１７に示すように同じグラフ形式で表示される。表のページに表示されるパラメータは以下の通りである。
2004538553.tif 000011
【００７６】
ダイバーシティのレーダーチャートは先の２つのセクションの場合のように、図１７に示すように、１つの視覚的チャート上の変更表のページに表示されたパラメータを表示する多軸チャートである。これらのチャートについては後にさらに詳述する。
【００７７】
〔役員会プロフィール〕
役員会プロフィールは例えば住所、電話番号、ウェブサイト等の対象会社の幾つかの一般的な接触情報を提示する。これはさらに、収入の数値、損益の数値、およびＰ／Ｅ率のようなある種の重要な比率のような会社の幾つかの基本財政データの簡単なリストをも提示する。第３に、それは監査役、顧問弁護士、および財政顧問のような会社の顧問リストも提示する。
【００７８】
〔取締役概要〕
図２２に示すように、取締役概要には取締役が占める地位の概観が示され、これらの地位に関する以下の基本情報を表示する。
2004538553.tif 000012
【００７９】
取締役概要の第２のテーマは会社内の主要な株主リストであり、その名前および持ち株の額面の表示がなされる。
【００８０】
〔取締役関連性〕
役員会関連性セクションには図６に示すように下に２つのレベルがあり、その名前は図２３に示すように「単独対複数の関連性」と、「複数の関連性」である。これらの２つのページには在籍する役員会を通じて取締役が有する他の取締役との関連性のリストを提供する。「単独の関連性」とは特定の会社の取締役に在任している取締役が別の会社の取締役をも兼務し、後者の会社と何らかの関連性を有する対象会社からの唯一の人物である場合に生じる。「複数の関連性」とは取締役が他の取締役とともに１つ以上の役員会に在籍している場合に生じる。
【００８１】
〔取締役報酬〕
取締役報酬のセクションは６つの主要セクションに区分することができる。
報酬の概要
直接報酬−現金払い年俸
エクイティリンク報酬−エクイティリンク年俸
エクイティリンク財産−受け取ったエクイティリンク総給付金
報酬率
オプション、年金、およびＬＴＩＰ
【００８２】
この階層構造は図７に見ることができる。そこで次にこれらのセクションを説明する。
【００８３】
〔報酬概要〕は図７に示すように、各々が異なる態様で概要の情報を表示する別個の４ページからなっている。図１１に示したものと同様である報酬概要表（図１１は役員会報酬の概要であるが、フォーマットは全く同様である）は以下のパラメータを表示する。
2004538553.tif 000013
【００８４】
図１１の役員会報酬概要表と同様に、取締役データ表はデータのダイバーシティに従って強調表示される。これについては後述する。
【００８５】
図１２に示されているものと同様の報酬概要バブルチャート（図１２は役員会報酬概要のバブルチャートであるがフォーマットは全く同様である）は、報酬概要表から３つの変数、すなわち総直接報酬、エクイティリンク総報酬、およびエクイティリンク総財産を同じグラフ上にプロットして、データを簡単かつ迅速に分析する方法を呈示するチャートである。グラフ上のｘ軸は直接報酬値をプロットし、ｙ軸は取締役が占める個々の地位ごとのエクイティリンク総報酬をプロットしている。次に各データポイントは円形に拡張され、各々の円の直径は各々の地位を占める取締役のエクイティリンク総財産値に比例している。円は例えば業務執行取締役、非業務執行取締役の地位、平均値、および「ピアグループ」平均値のような異なる種類のデータ間の違いを示すために色分けされている。
【００８６】
直接報酬およびエクイティ報酬のバーチャートは、各々の取締役の地位がｘ軸に沿って配置され、特定の会計期間ごとのそれぞれの総直接報酬、およびエクイティリンク総報酬の数値がバーとして示され、そのサイズは（例えば£０００ポンドに）スケーリングされたｙ軸と相関している標準的なバーチャートである。前述の取締役およびピアグループの値を示す線もプロット上に引かれている。
【００８７】
エクイティ総財産チャートは、ｘ軸に沿って各取締役を示す別のバーチャートであり、バーはｙ軸に対して上方に延びていて、各取締役のエクイティ総財産の相対値を示している。この場合もまた、幾つかの平均値が示されている。
【００８８】
〔直接報酬〕ページは、特定の会計期間について取締役報酬概要に記載されている総直接報酬の金額の内訳を示している。表示は表の形式であり、そのフォーマットは図１１の役員報酬概要のものと同一である。表示されているパラメータは下記のとおりである。
役員名                  取締役が役員会レベルの地位を有している会社名
役職                    各役員会で取締役が占める地位
給与                    基本年俸
ボーナス                給与に加えた給付
年金                    従業員の年金計画への雇用者の拠出金
その他                  配置転換および付加給付のようなその他の特別給付
総直接報酬              給与、ボーナス、年金、およびその他の収入の総計
【００８９】
〔エクイティリンク報酬〕ページは、特定の会計期間について取締役報酬概要に記載されているエクイティリンク総報酬の金額の内訳を示している。表示は表の形式であり、そのフォーマットは図１１の役員会報酬概要のものと同一である。表示されているパラメータは下記のとおりである。
2004538553.tif 000014
【００９０】
〔報酬率〕ページは前述の幾つかの報酬パラメータの一連の比率である。表示は図２４に示したような表の形式である。表示されている比率は下記のとおりである。
役員名                  取締役が役員会レベルの地位を有している会社名
役職                    各役員会で取締役が占める地位
「ボーナス／（ボーナス＋給与）」比率
「エクイティリンク／総報酬」比率
2004538553.tif 000015
【００９１】
〔報酬オプション、年金、およびＬＴＩＰ〕ページはこれらのパラメータのレビューを提示する。
【００９２】
〔取締役特徴〕
取締役特徴セクションは３つの主要セクションに細分化できる。
役職
ネットワーク／経歴
経験
図８に示す通りである。そこで次にこれらのセクションを説明する。
【００９３】
〔取締役特徴「役職」〕ページは、各個の取締役が担っている役職に関するパラメータの内訳を示している。このページは図２５に示したものと同じ表形式で表示される。この役職ページに表示されるパラメータは以下の通りである。
2004538553.tif 000016
【００９４】
〔取締役特徴「ネットワーク／経歴」〕ページは、取締役の役員会レベルの現在の関与、役員会レベルの関与の勤務履歴、およびいくつかの基本的な個人細目の内訳、およびそれに関するパラメータを示している。このページは図１４に示されたような、役員会特徴のネットワーク／経歴ページと同様に表形式で表示されている。この取締役のネットワーク／経歴ページに表示されているパラメータは以下の通りである。
2004538553.tif 000017
【００９５】
〔取締役特徴「経験」〕セクションは、図８の２ページ、すなわち表とレーダーチャートからなるセクションであり、異なる２つの形式で同じ情報を提示する。これらのページは他のページからの前述のパラメータの幾つかを混合することによって、取締役の経験の内訳とそれに関するパラメータを提示する。これらのページは先ず図２６に示したものと同じ表の形式で表示され、かつ図２７に示したものと同じグラフィック形式で表示される。表のページに表示されるパラメータは以下の通りである。
2004538553.tif 000018
【００９６】
取締役特徴の経験レーダーチャートは１つの視覚的なチャート上の経験表のページに表示されるパラメータを表示する多軸チャートである。レーダーチャートについては後に詳述する。
【００９７】
〔取締役のプロフィール〕
取締役のプロフィールは、例えば、取締役の誕生日、国籍等、幾つかの基本的な個人情報を提供する。これはさらに、取締役が現在占めている地位、および取締役が過去に占めていた地位を、各々のこれらの地位の簡単な説明とともに示す簡潔なＣＶをも提示する。
【００９８】
〔ユーザインターフェース〕
ユーザのウェブブラウザに表示される情報ページの構造を見てきたが、ここではユーザがこれらのページをナビゲートする方法、およびどのデータが表示されるべきであるかを選択する方法を説明する。
【００９９】
図９はユーザインターフェースの基本的な構成の例を示している。ディスプレイは２つの部分からなっている。すなわち、１つは前述したような、ユーザが選択できる利用可能な情報ページのウインドゥのリスト、ならびに後述する検索機能および幾つかの履歴選択リストなどの他の機能を表示する、ディスプレイの左側の固定的な薄いナビゲーションペインである。ディスプレイの第２の部分は、ウェブサーバーから受信した異なるセットの実際の役員会／取締役関連情報ページを各々が提示する一連のウェブスタイルページを表示できる変更可能な情報表示ペインを含む。ユーザは、左側のナビゲーションペインの階層リストから選択することによって、右側のペインに表示されることを望むデータページを選択することができる。
【０１００】
ナビゲーションペインは、ユーザがシステムをナビゲートする際に利用できるページのより低レベルの内訳を提示する。例えば図９では、図２に示すようなシステムのトップレベルの構造を見ることができ、一方、ユーザが「役員会報酬概要」スクリーンを選択した図１１では、表示されているスクリーンの下のレベルを示すようにナビゲーションリストが拡張され、したがってユーザはこの場合は「役員会報酬概要」情報、「表」、「バブルチャート」、「直接およびエクイティチャート」および「エクイティ財産チャート」を表示する異なる方法にアクセスすることができることがわかる。
【０１０１】
ユーザがスクリーンの左上のコーナーのラベル付けされた２つのタブの一方をクリックすることによって役員会セクションまたは取締役セクションのいずれかを一旦選択すると、ユーザは次に、データの主題として用いられる特定の役員会／取締役を選択する必要がある。この選択はシステムに対してその役員会／取締役に関する全ての関連情報をダウンロードするように命令して、次にユーザが役員会／取締役に関連する異なるデータセットを見てナビゲーションパネル内の異なるスクリーンをナビゲートできるようにする。
【０１０２】
この役員会／取締役の選択はナビゲーションペイン内にある２つの検索システムの１つを使用して行われる。図９はディスプレイの左側のナビゲージョンペイン内のスクリーンナビゲーションリストの下に位置するこれらの検索機能を示している。ある検索オプションでは、スクリーンナビゲーションリストの下の第１のボックスはシステムがデータベースを検索するために利用する幾つかのデータをユーザが入力できるようにする手動の入力検索システムを備えている。別の検索オプションは「アドバンストサーチ」と呼ばれ、手動検索データ入力ボックスの下のボックス内にあり、これにはデータベースの検索を絞り込むためにシステムが用いる事前に定義されたリスト内の複数のパラメータから選択することによって、ユーザが検索を規定することが含まれている。
【０１０３】
手動検索機能には検索のための２つのデータ入力方法がある。ユーザはナビゲーションペインに表示された「会社名」テキストボックスに会社／人名を入力することができる。またはユーザはナビゲーションペインの「会社ＩＤ」テキストボックスにデータを入力することによって、ＳＥＤＯＬ  ＣＯＤＥ−金融市場の会社ＩＤ（データの種類はドロップダウンボックスから選択できる）のような別の形式の会社関連指定データを入力することができる。次にシステムはデータベースの検索を行い、図２１および３１に示されたような検索結果リストを作成する。次にユーザは、検索結果リストから役員会／取締役名をクリックすることによって、情報表示ページでの分析の対象として利用することを希望する任意の役員会／取締役を選択することができる。次にシステムは選択された役員会／取締役のパラメータを検索して、図３に示すように対象となる役員会／取締役の「概要」ページを初めに表示する。
【０１０４】
アドバンストサーチ機能は、ユーザがナビゲーションペイン内の「アドバンストサーチ」ボタンをクリックすると開始される。図２０に示したようなスクリーンが役員会のアドバンストサーチ用に表示され、また図３０の取締役のアドバンストサーチ用に表示される。次にユーザは、検索したい役員会／取締役の国または部門のような事前に定義された少なくとも１つのパラメータを選択し、かつ／または検索したい役員会の会社の市場投資の定義のような、少なくとも１つのデータをデータ入力欄のいずれか１つに入力することによって選択する。次にシステムはユーザによって入力されたデータに基づいてデータベースの検索を行い、これも図２１および３１に示したような検索結果リストを作成する。ユーザは次に、検索結果リストから役員会／取締役名をクリックすることによって、情報表示ページの分析対象として用いたいいずれかの役員会／取締役を選択することができ、システムは次に上記の役員会／取締役のパラメータを検索して、図９に示すように対象となる役員会／取締役の「概要」ページを初めに表示する。
【０１０５】
情報ページの対象となる対象の役員会／取締役の第３の選択方法は、ナビゲーションペインの底部の「閲覧された役員会」リストから名前を選択することである。システムはユーザによって選択された最前のｎ個の対象リストを記憶し、ナビゲーションペインの底部にそれらを表示する。それによってユーザは２つの検索方法のいずれかを再び通過する必要なく、表示されたデータの最新のセットに容易に戻ることができる。
【０１０６】
対象の役員会／取締役が一旦選択され、そのデータがダウンロードされ、表示されると、その役員会／取締役の名前が全ての情報ページのディスプレイの左上コーナーに表示される。新たな役員会／取締役が選択されると、表示される名前はそれに応じて更新される。
【０１０７】
情報ページの多くは情報を表形式で表示し、データがどのように表示されるかに関して役員会セクションと取締役セクションの表の様式には顕著な相違がある。ここで、これらの２つの異なる様式について、先ず役員会に関して説明する。
【０１０８】
役員会に関連するデータ表の行は３つの主要なカテゴリーに区分される。すなわち、業務執行取締役を含むトップカテゴリーと、非業務執行取締役を含む第２のカテゴリーと、全ての地位を含む第３のカテゴリーである。図１１はこの構造がどのように表示されるかを示している。図１１のトップカテゴリーは「Barclays'の業務執行取締役名をリストし、第２のカテゴリーはBarclaysの全ての非業務執行取締役名をリストし、下のカテゴリーは全ての取締役の平均値を含んでいる。このフォーマットによって、ユーザは対象として選択された役員会の全ての個人データ、ならびに「業務執行取締役」カテゴリーの平均値、「非業務執行取締役」カテゴリーの平均値、および役員会の全メンバーの平均値を一括して分析することが可能になることに留意されたい。このように、この設定は、分離され、平均化された大量のデータを提供して、ユーザが同時に役員会のあらゆる側面の詳しい概観を分析できるようにする。
【０１０９】
図２５に取締役セクションのディスプレイが示されている。選択された取締役はTessen von Heydebreck氏であり、彼は２つの役員会に、すなわちドイツ銀行の業務執行取締役として、またＢＡＳＦ株式会社の非業務執行取締役として勤務している。役員会の表と同様に、これらの異なる２つの地位は別個のカテゴリーに区分される。業務執行取締役の地位はいずれもトップカテゴリーに表示され、非業務執行取締役の地位は第２のカテゴリーに表示され、占められている全ての地位の平均値は下のカテゴリーに示されている。したがって、個々の取締役の関与の全ての側面、ならびにこれらの地位の平均値が同時に表示され、各々の地位を個々に探索する必要なく、包括的な分析プラットフォームが与えられる。
【０１１０】
〔ピアグループ〕
本発明の実施形態の特徴の１つは、ユーザが選択された対象となる役員会／取締役を対応する単数または複数の役員会／取締役と比較できるようにするいわゆる「ピアグループ」である。これらのピアグループは異なる役員会／取締役を比較し、対照する基準として機能し、それらは特定の２つの会社／個々の取締役を直に比較できる単一の役員会／取締役を含んでいてもよく、または例えば部門別に区分された複数の異なる役員会／取締役を含んでいてもよい。
【０１１１】
前述のように、役員会および取締役の双方のセクションのデータ表は３つのカテゴリーに区分され、また、役員会の個々の取締役、または取締役が占めている個々の地位についてのデータを示しており、これらのカテゴリーはそれぞれそのカテゴリー内の全てのデータについての平均値をも表示する。図１１および図２５に示されているように、これらの平均値の下にはピアグループの全メンバーの平均値が表示されており、これは個々の役員会メンバー／取締役の地位の、ならびに各カテゴリーの平均値の包括的な尺度として利用できる。
【０１１２】
これらのピアグループの主要な機能は、ユーザがいずれかのピアグループの構成要因を定義でき、かつそれらの記録から比較に用いられるいずれかのピアグループを選択できるようにすることである。ナビゲーションペインの底部の、閲覧された役員会／取締役セクションの上には、選択されるとピアグループ管理スクリーンを開くピアグループボタンがある。これらのスクリーンは役員会セクションと取締役セクションでは全く同じように動作し、したがって幾つかの対応するグラフを参照して一緒に説明する。図１８および図２８はピアグループ管理ページのうち第１のページを示している。このページは現在までにユーザが設定した全てのピアグループを表示する。図１８から、ユーザは３つのピアグループ、すなわちＰＧ１、ＰＧ２、およびＰＧ３を設定したこと、およびこれらのピアグループはそれぞれ７人、３人、および２人のメンバーを含んでいることが分かる。ピアグループ修正スクリーンから、ユーザはいずれかのピアグループのメンバーを閲覧し、いずれかのピアグループのメンバーを修正し、または新たなピアグループを設定することができる。
【０１１３】
図１８および図２８に示されたピアグループのメンバーを閲覧するためには、ユーザはピアグループの１つの名前を単にクリックするだけでよく、役員会のピアグループＰＧ１に関して図１９に、また取締役のピアグループＰＧ２に関して図２９に示されているようなピアグループのメンバーのリストを含むスクリーンが表示される。したがって、役員会のピアグループＰＧ１はBarkleysおよびMarks & Spencer の役員会を含む７つの役員会からなっていることが分かり、またこのピアグループについて役員会情報スクリーンのデータ表に表示されたパラメータ平均値はピアグループ内の全てのグループの平均値に等しいであろう。
【０１１４】
ユーザは新たなメンバーを追加または既存のピアグループメンバーを削除することによって、図１９または図２９に示すように、ピアグループメンバーのスクリーンにある間にピアグループのメンバーを容易に修正することができ、また、メンバーを他のピアグループに移動させるか、コピーすることができる。メンバーを削除するには、ユーザは現在のいずれかのピアグループメンバーの左のチェックボックスをチェックし、次にスクリーンの左上コーナーの削除ボタンをクリックする。メンバーをコピーまたは移動させるには、コピーまたは移動させるメンバーを選択した後で、ユーザが右上コーナーのドロップダウンメニューから別のピアグループを選択することを除けば上記と同じプロセスが用いられ、メンバーおよび他のピアグループが一旦選択されると、ユーザはコピーまたは移動ボタンをクリックし、動作が完了する。
【０１１５】
ピアグループに新たなユーザを追加することは、少し複雑であり、前述の２つの検索ツール、すなわち手動およびアドバンストツールを用いることを必要とする。ユーザは前述のように、会社名、会社ＩＤによって、またはアドバンストサーチを用いて検索することができ、検索結果は図２１および図３１のように表示される。役員会／取締役が検索結果リストにある場合は、ユーザは表示された名前の近傍のチェックボックスをチェックし、次に役員会／取締役を配したいスクリーンの右上コーナーのドロップダウンメニューからピアグループを選択する。対象グループおよびピアグループが一旦選択されると、ユーザは検索結果リストの上の「ピアグループに追加」ボタンをクリックし、動作は適正に実行される。
【０１１６】
新たなピアグループの設定には主として、一旦最初の命名手順が実行された後の前述した機能の組合せが含まれる。図１８および図２８の主ピアグループのページでは、ユーザは名前を現在のピアグループリストの上の「新規」のボタンの近傍のテキストボックスに打ち込むことによって新たなピアグループのシェルを設定することができる。一旦名前が入力され、「新規」のボタンが選択されると、シェルが作成され、その他の現在のピアグループとともに新たなピアグループの名前が表示される。次にユーザはその新たなピアグループのメンバーのスクリーンに入力し、新たなメンバーを追加することができ、または正に他のグループのメンバーのスクリーンから新たなピアグループへとメンバーをコピーまたは移動することができる。
【０１１７】
単数または複数のピアグループが一旦設定されると、ユーザは主要な役員会／取締役情報スクリーンの１つのピアグループ比較機能を利用することができる。表およびグラフのスクリーンの多くはスクリーンの右上コーナーに一連のドロップダウンメニューの組合わせを含んでいる。これらによってユーザは３つの動作の１つを実行できる。すなわち、比較動作のためにピアグループを選択する。比較動作のためにいずれか１つのピアグループの個々のメンバーを選択する。または、ピアグループに現在の対象役員会／メンバーを追加する。
【０１１８】
ユーザが「ピアグループとの比較」ドロップダウンリストからピアグループを選択すると、システムはいずれかの情報の表またはグラフ内の全てのパラメータについて、そのピアグループの全てのメンバーの平均値を表示する。例えば、図１４では、スクリーンの右上コーナーのピアグループとの比較という表示ボックスは、スクリーンの左上コーナーに名前が表示されている対象役員会であるNokia OYJとの比較のためにピアグループＰＧ１が選択されたことを示している。表内のピアグループ平均値とは、ピアグループＰＧ１の全てのメンバーの平均値のことである。ユーザがNokia を別のピアグループと比較したい場合は、ピアグループとの比較という選択ドロップダウンメニューから別のピアグループを選択することができる。
【０１１９】
ユーザはディスプレイ上の「ピアグループとの比較」リストの下の「ピアメンバーとの比較」ドロップダウンリストからＰＧ１のメンバーの一人を選択することによって、図１４の例ではNokia OYJ である対象役員会を、この例ではＰＧ１である選択されたピアグループの特定のメンバーと比較することができる。ユーザは例えば、ＰＧ１ピアグループリストから「Marks & Spencer'を選択でき、次にこれはデータ表上のMarks & Spencer の役員会についての平均値を表示し、したがって、ユーザはNokia OYJの役員会をMarks & Spencerと直に比較することができる。
【０１２０】
スクリーンの右上コーナーの第３のトップダウンメニューによって、ユーザは現在の対象役員会である、図１４の例ではNokia OYJ をいずれかの現在のピアグループに追加することができる。ユーザは単にドロップダウンメニューをクリックするだけで、既存のピアグループのリストが表示され、ユーザは次にグループ別にこれらの１つを選択することができ、そこで対象役員会が自動的にそのピアグループに追加される。
【０１２１】
ピアグループシステムは取締役員会情報スクリーンの場合も、役員会情報スクリーンに関して前述したのと全く同様に動作する。唯一の相違点は、ピアグループが個々の取締役から構成されていること、および「ピアメンバーとの比較」リストが上記個人のリストを提示することで、ユーザが、対象の取締役をいずれかの特定の他の取締役と比較できることである。
【０１２２】
ピアグループの比較はグラフ情報のページでも利用されることに留意されたい。例えばそれらの数値は前述のように、比較目的のためにバブルチャートにプロットされる。さらに、これらはレーダーチャート上の比較手段としても利用され、図１７はその例を示しており、細い線は、選択された役員会であるスコットランドロイヤル銀行の数値であり、陰影領域は選択されたピアグループ１ＰＧ１についての数値を表している。これらのページも同様に、ピアグループを変更し、ピアグループの個々のメンバーを閲覧し、または対象役員会をピアグループに追加する機能を有している。
【０１２３】
〔色分け〕
本発明の実施形態の別の特徴は、前述のように、データのダイバーシティを視覚的に示すために、情報表のセルを強調表示することである。この場合もピアグループは、この機能において、ダイバーシティが計算される基準ポイントとして重要な役割を果たす。図１４はネットワーク／経歴パラメータについてのデータ表を示している。表の上方には、対応するピアグループの平均値と比較した、各セルを強調表示する色とセル内のデータのダイバーシティの尺度との関連性を示す「分散キー」が表示される。セルは幾つかの標準偏差との関連で、そこに含まれるデータが選択されたピアグループの平均値とは異なっていることが強調表示される。データの標準偏差がピアグループの平均値の±１以内にある場合は、セルは強調表示されない。セルの標準偏差がピアグループの平均値の−１と−２、または＋１と＋２の間にある場合は、セルは淡い色で強調表示されるといった具合であり、強調表示はデータの標準偏差がピアグループの平均値からより離れるほど濃くなる。
【０１２４】
この特徴はユーザにより認識し易い情報を提供する。この特徴を利用することで、データ内でパターンおよび傾向を大幅に簡単に識別できる。それによって、データを分析するためにユーザが苦労して表内の全てのデータパラメータを読み込む必要がなくなる。
【０１２５】
〔レーダーチャート〕
本発明の実施形態の別の特徴はレーダーチャートであり、特に軸のスケールを決定するために利用される方法である。図１７はスコットランドロイヤル銀行およびピアグループＰＧ１についてのダイバーシティレーダーチャートを示している。このレーダーチャートは図１６のダイバーシティの表内の対応するデータのグラフ表現である。留意すべき第１の側面は、ダイバーシティの表内のデータ列の数、およびダイバーシティチャート上の対応する軸の数である。チャートは表から、それに関するデータを有している数のパラメータを表示する。多くの場合、ダイバーシティ表はデータで完全に埋まり、ダイバーシティチャートは潜在的に８つの軸を有する。しかし、利用できるデータが不充分である場合、すなわち対象の役員会にデータがなく、または選択されたピアグループにデータがない場合は、レーダーチャートが調整され、不充分なデータしかないパラメータに関連する軸が除去され、したがって表示されない。図１６および１７から、ダイバーシティ表の４つのパラメータ欄にしか充分なデータがなく、性別欄は幾つかのデータを含んでいるが、完全に埋まってはいないので、対応するレーダーチャートには４つの軸しかない。
【０１２６】
軸のスケーリングは、標準偏差の範囲によって限定されている点で、前述の強調表示の方法と同じ方法に基づくものである。軸はピアグループの平均値から±３の範囲の標準偏差によって限定されている。したがって、レーダーチャート上の各々の軸の最小値はピアグループの平均値から−３の標準偏差に等しく、また、各々の軸の最大値はピアグループの平均値から＋３の標準偏差に等しい。本発明のこの特定の実施形態では、このスケーリング用に用いられるピアグループは、ユーザによって選択されたピアグループではなく、対象の役員会／取締役と同じ国を基盤とする全ての役員会／取締役を含んでいる。例えば図１７では、スコットランドロイヤル銀行は英国を基盤にしており、したがって対応するダイバーシティチャート内の軸のスケールは、これも英国を基盤とするデータベース上の他の全ての役員会の平均値から±３だけ偏差がある。
【０１２７】
この特徴によって、ユーザが容易に分析できる有用なデータ表示方法が得られる。多軸プロットによって役員会および／または役員会メンバーに関する多くのパラメータの比較分析が容易になる。
【０１２８】
〔データ変更〕
本発明の実施形態の別の特徴は、データ変更機能である。各情報表示ページには、例えば図１６および１７に示されているように、左上コーナーの対象の役員会／取締役名の下に日付がある。ボックス内に表示されている日付は、表示された情報が関連している時点を示している。ユーザはドロップダウンメニューから別の日付を選択することによってこの日付を選択することができるので、ユーザには広い範囲の日付にわたってデータ履歴を閲覧する極めて簡単なツールが得られる。
【０１２９】
〔マウスオーバー〕
本発明の実施形態の別の特徴は「マウスオーバー」機能である。ユーザがディスプレイ上の特定の機構の機能性を迅速に理解できるようにするため、ユーザがスクリーン上でマウスポインタを動かすと、システムはマウスポインタの近くに小さい情報ノートを表示する。
【０１３０】
それに加えて、前述のデータ表色分け機能を補助するためのマウスオーバー機能がある。ユーザがマウスをデータ表内の陰影があるセルの上で動かすと、ピアグループの平均値から特定の偏差値が特定のパラメータにあることを示す小さい情報ノートが表示され、この機能は、ユーザが要求すれば、前述の色分けシステムにさらに細かい内容を加える。
【０１３１】
〔事前に定義されたピアグループ〕
本発明の別の実施形態では、事前に定義された複数のピアグループがデータベースにロードされる。ユーザは前述のように、現在のユーザにより規定されたピアグループと同様にこれらの事前に定義されたピアグループを利用し、選択し、かつ修正することさえ可能である。これらの事前に定義されたピアグループは例えば部門または地理的領域のような論理グループへと編成され、ピアグループ自体を設定しなくてもユーザが対象の役員会／取締役をこれらのディフォルトピアグループの１つと比較できるようにする。
【０１３２】
〔仮想役員会〕
本発明の別の実施形態では、役員会セクションと取締役セクションが互いに混合され、同じ情報表内で、同じ情報チャート上に個々の取締役ならびに役員会の双方についてのデータを表示する単一ユニットとして機能する。それによって取締役と比較して役員会を分析することができる。例えば、ユーザは取締役のピアグループを設定することにより「仮想役員会」を設定することができ、その後でその仮想役員会を実際の役員会と比較することができる。または、逆に個々の取締役を単数または複数の役員会のピアグループについての平均値と比較することができる。
【０１３３】
〔増強された役員会／メンバーの関連性の機能〕
本発明の別の実施形態では、役員会／取締役の関連性の情報ページは、対象の役員会メンバー／対象の取締役と彼らが保持し得る場合がある他の地位とのリンクを表示するだけではなく、他の複数の役員会／取締役の関連性を介した対象の役員会／取締役からターゲットの役員会取締役との関連性をも表示する。例えば、この機能によってユーザは対象の役員会／取締役、および彼らが接触したい「ターゲットの」役員会／取締役を入力することができる。システムはデータベースを検索し、ユーザが選択した２つの役員会／取締役を互いにリンクさせる一連の関連性を表示する。このディスプレイは下記のような検索結果を提示できる。
役員会１はＡ氏を介して役員会３にリンクしている。
役員会３はＢ氏を介して役員会５にリンクしている。
役員会５はＣ氏を介して役員会２にリンクしている。
役員会１が「対象の」役員会である場合は、役員会２は「ターゲットの」役員会である。
【０１３４】
この機能によってユーザは複数のビジネス状況で利用するための役員会と取締役のネットワークを構成することができる。
【０１３５】
〔会社顧問の関連性〕
本発明の別の実施形態では、関連性の機能は会社の顧問をも包括するように拡張され、そのリストは各役員会ごとの役員会プロフィール情報ページに既に提示されている。この実施形態では、ユーザは特定の顧問に基づく関連性の検索を行うことができる。すなわち、顧問を情報の対象とし、その顧問についての関連性を表示することができる。例えば、特定の会社が顧問の一人に起因してトラブルに巻き込まれた場合、ユーザはその顧問と他の役員会との関連性を検索することができ、システムは同じ顧問を採用している任意の他の役員会のリストを表示する。これは例えばファンドマネージメントの分野で有用であり、顧問がファンドマネージャーの持ち株の１つのための活動の途上、最近になって弱点を露呈した場合、そのファンドマネージャーはその顧問の関連性の検索を行うことによって、彼の他の株式保有が同じ顧問によってアドバイスされたのか否かを確認する適正評価（デューデリジェンス）のチェックを行うことができよう。
【０１３６】
〔役員会概要「時系列」〕
本発明の別の実施形態では、図３２に示されているような「役員会の時系列」チャートが「役員会概要」セクションの下の第２の情報表示ページに表示される。この情報ページはプリセットされた、またはユーザが指定した個別の期間にわたってバーチャート形式のチャートを表示して、各取締役が役員会に在籍している期間、該期間中に取締役が占めている地位を表すバーを示す。
【０１３７】
〔取締役関連性「複数」〕
本発明の別の実施形態では、取締役の複数の関連性を閲覧するためにユーザがより使い易い方法を提供するため、グラフィックのバーチャート形式のプロットが表示される。このグラフィック情報ページの例は図３７に示されている。各取締役の氏名がバーチャートのｙ軸に沿って記載されており、期間（年）はｘ軸に沿って記載されている。次にバーは、取締役が取締役レベルの役職に就いている期間の取締役の氏名と平行してプロットされ、彼らが就任している異なる会社どうしを区別するために色分けが用いられる。このチャートは、複数人の取締役の複数の関連性を調査する、ユーザが格段に使い易い方法を提供する。
【０１３８】
〔主題分析セクション〕
本発明の別の実施形態では、役員会セクションおよび取締役セクションは、前述し、図２で示したような５つの既存の主要セクションに加えて、「分析」という名前の６番目の主要主題見出しを備えている。この追加セクションは図３２および３７の左側のナビゲーションペインの特徴セクションとプロフィールセクションの間に示されているように、ユーザインターフェースナビゲーションペインに追加されている。これらの２つのセクションは異なる副層を含んでおり、ここで次に役員会セクションから説明する。
【０１３９】
〔役員会分析〕
役員会分析セクションは５つの主要セクションに区分することができる。
役員会の株価の推移
役員会および株主利益率
役員会の時間分析
役員会の経時的な経験
オプションおよびエクイティのシナリオ
【０１４０】
これらの各セクションについて以下に順次説明する。
【０１４１】
〔役員会分析「役員会の株価の推移」は図３３に示すように、プリセットされた、またはユーザが指定した個別の期間にわたって対象会社の株価を表示し、主要な役員会関連の企業活動はチャートの上部にグラフで表示されている。例えば、ＣＥＯ（経営最高責任者）が辞職すると、それがなされた時点を示すためにグラフにマークが付される。このデータは前述のように中央データ入力管理領域（１００、図１）にあるデータ保存システム（１、図１）での分析的データ入力方法を介して自動的、または手動的にデータベースにロードされることができる。この機能によってユーザは上記の役員会関連の企業イベントに関連する会社の株価の変動を分析することができ、そのような時点での株価の変わり易さをより充分に理解できるようになる。したがって、この実施形態は、特定の会社の役員会の安定性の重要性を査定し、したがって役員会関連の企業活動の公表時の将来の株価変動を洞察するツールをユーザに提供する。
【０１４２】
〔役員会分析「役員会および株主利益率」は図３４に示すように、取締役の直接報酬、取締役のエクイティ報酬、会社の収入および会社の株価を含む異なる種類のデータを１つのグラフィックディスプレイで表示する。グラフの主要な要素はｘ軸に沿った各年の２つのバーを有するバーチャートであり、これらのバーの一方はその年の役員会の取締役の報酬に関する情報（さらに給与、その他の直接報酬、エクイティ報酬、オプション、およびＬＴＩＰに細分化されている）を表示し、他方は同年の会社の純収益を示す。バーチャートの上部にはプリセットされた、またはユーザが指定した個別の期間にわたる対象会社の株価が表示される。このグラフによってユーザは例えば、会社の純収益と株価の関係、または株価に関連する取締役の収入の関係、およびその他の幾つかの特徴のような異なる特徴を同時に分析することができる。
【０１４３】
〔役員会分析「役員会の時間分析」〕は図３５に示すように、役員会メンバーの外部関与の概要をグラフで表示する。グラフは３本のバーがｘ軸に沿って各年毎に表示されるバーチャートを含んでおり、各々のバーは「上場」、「非上場」、および「その他」の役員会にそれぞれ占められた役員会レベルの地位を表している。ｙ軸はそれぞれの特定の年度中に対象役員会メンバーが占めている上記の役員会レベルの平均の地位数の尺度である。このグラフは前述の役員会特徴「ネットワーク／経歴」のセクションに記載した情報の幾つかをグラフ表示する。
【０１４４】
〔役員会分析「役員会の経時的な経験」〕は図３６に示すように、年次ベースで役員会メンバーの経験の概要を示すバーチャートを表示する。ｘ軸に沿ってプロットされた各年ごとに２つのバーが含まれている。その第１のバーは全ての役員会メンバーについて、現在の会社に在籍している時間の平均値と、その時間のうちのどれだけが役員会に在籍したかの尺度を示す。第２のバーは全ての役員会メンバーについて、現在在籍している全ての役員会の平均数、および現在までに就任していた全ての役員会を表している。これは役員会特徴「経験」表の情報ページに表示された経験パラメータに関連する別のグラフ表現である。
【０１４５】
〔役員会分析「オプションおよびエクイティのシナリオ」〕によって、ユーザは会社の株価に関連する運用シナリオによって役員会が保有するオプションおよびエクイティの価格変動を査定することができる。ユーザは株価の仮想上昇または下落のパラメータを入力することができ、システムは株価のこのような変化がその会社の役員会のオプションとエクイティの評価額に及ぼす影響を算定し、表示する。
【０１４６】
〔取締役分析〕
取締役分析セクションは２つの主要セクションに区分することができる。
取締役の株価の推移
オプションおよび株式のシナリオ
【０１４７】
次にこれらのセクションを順次説明する。
【０１４８】
〔取締役の株価の推移〕は図３８に示すように、取締役が取締役レベルの各々の地位にある間に会社の株価に与える取締役の影響をユーザが査定できるようにするツールである。プリセットされた、またはユーザが選択した個別の期間が利用され、その期間中に取締役がその役員会に就任していた各会社ごとの別個の株価が同じスクリーンに列挙される。これらの株価グラフの上部には、取締役がいつ各社に就任していたのか、および各役員会で占めていた対応する地位に関する時間関連情報が表示される。このデータは役員会の時系列分析データとともに、中央データ入力管理領域（１００、図１）にあるデータ保存システム（１、図１）での手動的な分析ソフトウェアパッケージを用いてシステムに入力される。
【０１４９】
表示された情報を調査することによって、ユーザは当該取締役の過去の各社への入社および退社が及ぼした経歴的な影響、および役員会に就任中の取締役の業績状況の印象を得ることができる。したがって、システムは取締役の経歴的な業績を指示的に分析することができる。
【０１５０】
〔取締役分析「オプションおよびエクイティのシナリオ」〕によって、ユーザは会社の株価に関する運用シナリオによる取締役が保有するオプションおよびエクイティの価格変化を査定することができる。ユーザは株価の仮想上昇または下落についてのパラメータを入力することができ、システムは株価のこのような変化がその会社の取締役のオプションとエクイティの評価額に及ぼす影響を計算し、表示する。
【０１５１】
〔ピアグループの警告〕
本発明の別の実施形態では、ピアグループ警告セクションは前述の役員会ピアグループセクションの一部を構成している。これらの警告ターゲットによって、ユーザは以下のように役員会および／または取締役のピアグループに関するターゲットの企業活動をベースにした情報を受け取ることができる。
【０１５２】
〔役員会ピアグループの警告〕によって、ユーザは、役員会のピアグループの全メンバーについての判断基準のリストを規定することができ、それが機能すると、発生した事象を示す警告がユーザに対して発される。図３９は規定スクリーンの例を示しており、スクリーンの上部のドロップダウンから選択されたピアグループメンバーについて規定できる広範囲の取締役レベルおよび役員会レベルの判断基準があることが分かる。例えばピアグループ内の役員会の１つの議長が辞任した場合、またはピアグループ内の役員会の平均年齢が選択されたレベルを超えた場合のように、事前に定義された変数のいずれ１つかが満たされると、その事象を示すメッセージがユーザの好みに応じて、図４０に示すようにｅメール、またはログインによってユーザに送られる。
【０１５３】
この機能によって、ユーザは必要な企業ニュースをターゲットにすることができる。ユーザにとって有用な情報を見いだすために大量の文献を篩にかけるのではなく、ユーザは図３９に示したスクリーンを利用して、前述のように、関心がある役員会を含むピアグループを設定することによって、関心がある領域を明確にすることができ、したがってユーザの個人的なターゲットであるニュースを受け取ることができる。
【０１５４】
〔取締役ピアグループの警告〕によって、ユーザは、それが機能すると、事象が発生したことを示す警告がユーザに発される、取締役のピアグループの全メンバーについての判断基準のリストを明確にすることができる。図４１は規定スクリーンの例を示しており、スクリーンの上部のドロップダウンから選択されたピアグループメンバーについて規定できる広範囲の取締役レベルおよび役員会レベルの判断基準があることが分かる。例えばピアグループ内の取締役の１つの議長が辞任した場合、またはピアグループ内の平均直接報酬が選択されたレベル以上になった場合のように、事前に定義された変数のいずれかが満たされると、その事象を示すメッセージがユーザの好みに応じて、図４２に示すようにｅメール、またはログインによってユーザに送られる。
【０１５５】
この機能によってユーザは必要な企業ニュースをターゲットにすることができる。ユーザにとって有用な情報を見いだすために大量の文献を篩にかけるのではなく、ユーザは図４１に示したスクリーンを利用して、前述のように関心がある取締役を含むピアグループを設定することによって、関心がある領域を明確にすることができ、したがってユーザの個人的なターゲットであるニュースを受け取ることができる。
【０１５６】
本発明の特定の実施形態を参照して説明してきたが、本発明の趣旨と範囲内で修正できることが当業者には明らかであろう。
【０１５７】
例えば、システムをネットワーク上で実施されるものとして説明してきたが、単一のコンピュータまたは任意の適宜のコンピュータシステムで実施することができる。
【図面の簡単な説明】
【０１５８】
【図１】本発明の１実施形態による会社の役員会データの処理システムの概略図である。
【図２】ユーザインタフェースの情報ページのトップレベルの構造を示す図である。
【図３】役員会関連性データセクションの情報ページの構造を示す図である。
【図４】役員会報酬データセクションの情報ページの構造を示す図である。
【図５】役員会特徴データセクションの情報ページの構造を示す図である。
【図６】取締役関連性データセクションの情報ページの構造を示す図である。
【図７】取締役報酬データセクションの情報ページの構造を示す図である。
【図８】取締役特徴データセクションの情報ページの構造を示す図である。
【図９】ユーザインタフェース「役員会概要」の情報ページのスクリーンショットである。
【図１０】ユーザインタフェース「役員会の単独対複数の関連性」の情報ページのスクリーンショットである。
【図１１】ユーザインタフェース「役員会の報酬概要表」の情報ページのスクリーンショットである。
【図１２】ユーザインタフェース「役員会の報酬概要バブルチャート」の情報ページのスクリーンショットである。
【図１３】ユーザインタフェース「役員会の報酬比率」の情報ページのスクリーンショットである。
【図１４】ユーザインタフェース「役員会特徴のネットワーク／経歴」の情報ページのスクリーンショットである。
【図１５】ユーザインタフェース「役員会特徴の変更表」の情報ページのスクリーンショットである。
【図１６】ユーザインタフェース「役員会特徴のダイバーシティ表」の情報ページのスクリーンショットである。
【図１７】ユーザインタフェース「役員会特徴のダイバーシティレーダーチャート」の情報ページのスクリーンショットである。
【図１８】ユーザインタフェース「役員会のピアグループ管理」の情報ページのスクリーンショットである。
【図１９】ユーザインタフェース「役員会のピアグループメンバー」の情報ページのスクリーンショットである。
【図２０】ユーザインタフェース「役員会のアドバンストサーチ」の情報ページのスクリーンショットである。
【図２１】ユーザインタフェース「役員会の検索結果」の情報ページのスクリーンショットである。
【図２２】ユーザインタフェース「取締役概要」の情報ページのスクリーンショットである。
【図２３】ユーザインタフェース「取締役の単独対複数の関連性」の情報ページのスクリーンショットである。
【図２４】ユーザインタフェース「取締役の報酬比率」の情報ページのスクリーンショットである。
【図２５】ユーザインタフェース「取締役特徴の役職」の情報ページのスクリーンショットである。
【図２６】ユーザインタフェース「取締役特徴の経験表」の情報ページのスクリーンショットである。
【図２７】ユーザインタフェース「取締役特徴の経験レーダーチャート」の情報ページのスクリーンショットである。
【図２８】ユーザインタフェース「取締役のピアグループ管理」の情報ページのスクリーンショットである。
【図２９】ユーザインタフェース「取締役のピアグループメンバー」の情報ページのスクリーンショットである。
【図３０】ユーザインタフェース「取締役のアドバンストサーチ」の情報ページのスクリーンショットである。
【図３１】ユーザインタフェース「取締役の検索結果」の情報ページのスクリーンショットである。
【図３２】ユーザインタフェース「役員会の時系列」の情報ページのスクリーンショットである。
【図３３】ユーザインタフェース「役員会の株価の推移」の情報ページのスクリーンショットである。
【図３４】ユーザインタフェース「役員会および株主利益率」の情報ページのスクリーンショットである。
【図３５】ユーザインタフェース「役員会の時間分析」の情報ページのスクリーンショットである。
【図３６】ユーザインタフェース「役員会の経時的な経験」の情報ページのスクリーンショットである。
【図３７】ユーザインタフェース「取締役の複数の関連性」の情報ページのスクリーンショットである。
【図３８】ユーザインタフェース「取締役の株価の推移」の情報ページのスクリーンショットである。
【図３９】ユーザインタフェース「役員会のピアグループの警告の設定」の情報ページのスクリーンショットである。
【図４０】ユーザインタフェース「役員会のピアグループの警告の結果」の情報ページのスクリーンショットである。
【図４１】ユーザインタフェース「取締役のピアグループの警告の設定」の情報ページのスクリーンショットである。
【図４２】ユーザインタフェース「取締役のピアグループの警告の結果」の情報ページのスクリーンショットである。
【図１】
2004538553.tif 000019
【図２】
2004538553.tif 000020
【図３】
2004538553.tif 000021
【図４】
2004538553.tif 000022
【図５】
2004538553.tif 000023
【図６】
2004538553.tif 000024
【図７】
2004538553.tif 000025
【図８】
2004538553.tif 000026
【図９】
2004538553.tif 000027
【図１０】
2004538553.tif 000028
【図１１】
2004538553.tif 000029
【図１２】
2004538553.tif 000030
【図１３】
2004538553.tif 000031
【図１４】
2004538553.tif 000032
【図１５】
2004538553.tif 000033
【図１６】
2004538553.tif 000034
【図１７】
2004538553.tif 000035
【図１８】
2004538553.tif 000036
【図１９】
2004538553.tif 000037
【図２０】
2004538553.tif 000038
【図２１】
2004538553.tif 000039
【図２２】
2004538553.tif 000040
【図２３】
2004538553.tif 000041
【図２４】
2004538553.tif 000042
【図２５】
2004538553.tif 000043
【図２６】
2004538553.tif 000044
【図２７】
2004538553.tif 000045
【図２８】
2004538553.tif 000046
【図２９】
2004538553.tif 000047
【図３０】
2004538553.tif 000048
【図３１】
2004538553.tif 000049
【図３２】
2004538553.tif 000050
【図３３】
2004538553.tif 000051
【図３４】
2004538553.tif 000052
【図３５】
2004538553.tif 000053
【図３６】
2004538553.tif 000054
【図３７】
2004538553.tif 000055
【図３８】
2004538553.tif 000056
【図３９】
2004538553.tif 000057
【図４０】
2004538553.tif 000058
【図４１】
2004538553.tif 000059
【図４２】
2004538553.tif 000060
【国際公開パンフレット】
2004538553.tif 000061
2004538553.tif 000062
2004538553.tif 000063
2004538553.tif 000064
2004538553.tif 000065
2004538553.tif 000066
2004538553.tif 000067
2004538553.tif 000068
2004538553.tif 000069
2004538553.tif 000070
2004538553.tif 000071
2004538553.tif 000072
2004538553.tif 000073
2004538553.tif 000074
2004538553.tif 000075
2004538553.tif 000076
2004538553.tif 000077
2004538553.tif 000078
2004538553.tif 000079
2004538553.tif 000080
2004538553.tif 000081
2004538553.tif 000082
2004538553.tif 000083
2004538553.tif 000084
2004538553.tif 000085
2004538553.tif 000086
2004538553.tif 000087
2004538553.tif 000088
2004538553.tif 000089
2004538553.tif 000090
2004538553.tif 000091
2004538553.tif 000092
2004538553.tif 000093
2004538553.tif 000094
2004538553.tif 000095
2004538553.tif 000096
2004538553.tif 000097
2004538553.tif 000098
2004538553.tif 000099
2004538553.tif 000100
2004538553.tif 000101
2004538553.tif 000102
2004538553.tif 000103
2004538553.tif 000104
2004538553.tif 000105
2004538553.tif 000106
2004538553.tif 000107
2004538553.tif 000108
2004538553.tif 000109
2004538553.tif 000110
2004538553.tif 000111
2004538553.tif 000112
2004538553.tif 000113
2004538553.tif 000114
2004538553.tif 000115
2004538553.tif 000116
2004538553.tif 000117
2004538553.tif 000118
2004538553.tif 000119
2004538553.tif 000120
2004538553.tif 000121
2004538553.tif 000122
2004538553.tif 000123
2004538553.tif 000124
2004538553.tif 000125
2004538553.tif 000126
2004538553.tif 000127
2004538553.tif 000128
2004538553.tif 000129
2004538553.tif 000130
2004538553.tif 000131
2004538553.tif 000132
2004538553.tif 000133
2004538553.tif 000134
2004538553.tif 000135
2004538553.tif 000136
2004538553.tif 000137
2004538553.tif 000138
2004538553.tif 000139
2004538553.tif 000140
2004538553.tif 000141
2004538553.tif 000142
2004538553.tif 000143
2004538553.tif 000144
2004538553.tif 000145
2004538553.tif 000146
2004538553.tif 000147
2004538553.tif 000148
2004538553.tif 000149
2004538553.tif 000150
2004538553.tif 000151
2004538553.tif 000152
2004538553.tif 000153
2004538553.tif 000154
2004538553.tif 000155
2004538553.tif 000156
2004538553.tif 000157
2004538553.tif 000158
2004538553.tif 000159
2004538553.tif 000160
2004538553.tif 000161
2004538553.tif 000162
2004538553.tif 000163
2004538553.tif 000164
2004538553.tif 000165
2004538553.tif 000166
2004538553.tif 000167
2004538553.tif 000168
2004538553.tif 000169
2004538553.tif 000170
2004538553.tif 000171
2004538553.tif 000172
2004538553.tif 000173
2004538553.tif 000174
2004538553.tif 000175
2004538553.tif 000176
2004538553.tif 000177
2004538553.tif 000178
2004538553.tif 000179
2004538553.tif 000180
2004538553.tif 000181
2004538553.tif 000182
2004538553.tif 000183
2004538553.tif 000184
2004538553.tif 000185
2004538553.tif 000186
2004538553.tif 000187
2004538553.tif 000188
2004538553.tif 000189
2004538553.tif 000190
2004538553.tif 000191
2004538553.tif 000192
2004538553.tif 000193
2004538553.tif 000194
2004538553.tif 000195
2004538553.tif 000196
2004538553.tif 000197
2004538553.tif 000198
2004538553.tif 000199
2004538553.tif 000200
2004538553.tif 000201
2004538553.tif 000202